(57)【特許請求の範囲】
【請求項１】
データ処理方法であって、当該方法が、
送信端デバイスによって、情報ビットのＬ個のレイヤに対してマッピング処理を実行して、変調シンボルシーケンスのＬ個のレイヤを生成するステップであって、変調シンボルシーケンスの各レイヤがＵ個の変調シンボルを含み、変調シンボルシーケンスの前記Ｌ個のレイヤが同一の時間周波数リソースに対応し、前記Ｕ個の変調シンボルが少なくとも１つの非ゼロ変調シンボル及び少なくとも１つのゼロ変調シンボルを含み、Ｌ≧２及びＵ≧２である、ステップと、
変調シンボルシーケンスの各レイヤに対応するとともにＬ個のプリコーディングマトリクスの中にあるプリコーディングマトリクスに従って、変調シンボルシーケンスの各レイヤに対してプリコーディング処理を実行して、変調シンボルシーケンスマトリクスのＬ個のレイヤを生成するステップであって、前記Ｌ個のプリコーディングマトリクスが変調シンボルシーケンスの前記Ｌ個のレイヤと１対１対応にあり、前記プリコーディングマトリクスが第１の次元におけるＴ個の要素シーケンスを含み、Ｔが情報ビットの前記Ｌ個のレイヤを送信するために使用される空間領域リソースの数であり、Ｔ≧２である、ステップと、
変調シンボルシーケンスマトリクスの前記Ｌ個のレイヤに対して重ね合わせ処理を実行して、送るべきシンボルシーケンスマトリクスを生成するステップであって、前記送るべきシンボルシーケンスマトリクスが前記第１の次元におけるＴ個の要素シーケンスを含み、前記送るべきシンボルシーケンスマトリクスが第２の次元におけるＵ個の要素シーケンスを含む、ステップとを含む、方法。
【請求項２】
変調シンボルシーケンスの前記Ｌ個のレイヤ内の第１の変調シンボルシーケンスが少なくとも２つの非ゼロ変調シンボルを含むとき、前記第１の変調シンボルシーケンスに対応する第１のプリコーディングマトリクスにおいて、前記第１のプリコーディングマトリクスが、前記第２の次元における少なくとも２つの第１の要素シーケンスを含み、前記少なくとも２つの第１の要素シーケンスが、前記第１の変調シンボルシーケンス内に含まれる前記少なくとも２つの非ゼロ変調シンボルと１対１対応にあり、前記少なくとも２つの第１の要素シーケンスが異なる、請求項１に記載の方法。
【請求項３】
前記プリコーディングマトリクスが、変調シンボルシーケンスの各レイヤに対応する受信端デバイスに従って決定される、請求項１又は請求項２に記載の方法。
【請求項４】
変調シンボルシーケンスの前記Ｌ個のレイヤ内の第２の変調シンボルシーケンスに対応する受信端デバイスが、変調シンボルシーケンスの前記Ｌ個のレイヤ内の第３の変調シンボルシーケンスに対応する受信端デバイスと同一であるとき、
前記第２の変調シンボルシーケンスに対応する第２のプリコーディングマトリクスにおいて、前記第２のプリコーディングマトリクスが、前記第２の次元における第２の要素シーケンスを含み、前記第２の要素シーケンスが第２の非ゼロ変調シンボルに対応し、前記第２の非ゼロ変調シンボルが、前記第２の変調シンボルシーケンス内に含まれる非ゼロ変調シンボルであり、
前記第３の変調シンボルシーケンスに対応する第３のプリコーディングマトリクスにおいて、前記第３のプリコーディングマトリクスが、前記第２の次元における第３の要素シーケンスを含み、前記第３の要素シーケンスが第３の非ゼロ変調シンボルに対応し、前記第３の非ゼロ変調シンボルが、前記第３の変調シンボルシーケンス内に含まれる非ゼロ変調シンボルであり、
前記第２の変調シンボルシーケンス内の前記第２の非ゼロ変調シンボルの位置が、前記第３の変調シンボルシーケンス内の前記第３の非ゼロ変調シンボルの位置に対応し、前記第２の要素シーケンスが前記第３の要素シーケンスと同一である、請求項３に記載の方法。
【請求項５】
変調シンボルシーケンスの前記Ｌ個のレイヤ内の第４の変調シンボルシーケンスに対応する受信端デバイスが、変調シンボルシーケンスの前記Ｌ個のレイヤ内の第５の変調シンボルシーケンスに対応する受信端デバイスと異なるとき、
前記第４の変調シンボルシーケンスに対応する第４のプリコーディングマトリクスにおいて、前記第４のプリコーディングマトリクスが、前記第２の次元における第４の要素シーケンスを含み、前記第４の要素シーケンスが第４の非ゼロ変調シンボルに対応し、前記第４の非ゼロ変調シンボルが、前記第４の変調シンボルシーケンス内に含まれる非ゼロ変調シンボルであり、
前記第５の変調シンボルシーケンスに対応する第５のプリコーディングマトリクスにおいて、前記第５のプリコーディングマトリクスが、前記第２の次元における第５の要素シーケンスを含み、前記第５の要素シーケンスが第５の非ゼロ変調シンボルに対応し、前記第５の非ゼロ変調シンボルが、前記第５の変調シンボルシーケンス内に含まれる非ゼロ変調シンボルであり、
前記第４の変調シンボルシーケンス内の前記第４の非ゼロ変調シンボルの位置が、前記第５の変調シンボルシーケンス内の前記第５の非ゼロ変調シンボルの位置に対応し、前記第４の要素シーケンスが前記第５の要素シーケンスと異なる、請求項３に記載の方法。
【請求項６】
各プリコーディングマトリクスが、前記第２の次元におけるＵ個の要素シーケンスを含み、各プリコーディングマトリクス内に含まれる非ゼロ要素シーケンスの、前記Ｕ個のシーケンスにおける位置が、対応する変調シンボルシーケンス内に含まれる非ゼロ変調シンボルの、前記Ｕ個の変調シンボルにおける位置に対応し、
変調シンボルシーケンスマトリクスの前記Ｌ個のレイヤに対して重ね合わせ処理を実行する前記ステップが、
前記第１の次元における対応する位置及び前記第２の次元における対応する位置を有するとともに変調シンボルシーケンスマトリクスの前記Ｌ個のレイヤ内にある要素に対して重ね合わせ処理を実行するステップを含む、請求項１から請求項５のいずれか一項に記載の方法。
【請求項７】
変調シンボルシーケンスの前記Ｌ個のレイヤ内の第６の変調シンボルシーケンスが、Ｖ個の非ゼロ変調シンボルを含み、Ｖ≧１であり、前記第６の変調シンボルシーケンスに対応する第６のプリコーディングマトリクスにおいて、前記第６のプリコーディングマトリクスが、第２の次元におけるＶ個の要素シーケンスを含み、
変調シンボルシーケンスの各レイヤに対応するプリコーディングマトリクスに従って、変調シンボルシーケンスの各レイヤに対してプリコーディング処理を実行する前記ステップが、
前記第１のプリコーディングマトリクスに従って、前記第１の変調シンボルシーケンスに対してプリコーディング処理を実行して、第１の変調シンボルシーケンスマトリクスを生成するステップを含み、前記第１の変調シンボルシーケンスマトリクスが、前記第１の次元におけるＴ個の要素シーケンスを含み、前記第１の変調シンボルシーケンスマトリクスが、前記第２の次元におけるＶ個の要素シーケンスを含む、請求項２に記載の方法。
【請求項８】
変調シンボルシーケンスマトリクスの前記Ｌ個のレイヤに対して重ね合わせ処理を実行する前記ステップの前に、当該方法が、
前記第６の変調シンボルシーケンス内の前記Ｖ個の非ゼロ変調シンボルの位置に従って、第６の変調シンボルシーケンスマトリクスに対してゼロフィル処理を実行し、その結果、ゼロフィル処理後に得られる第６の変調シンボルシーケンスマトリクスが、前記第２の次元におけるＵ個の要素シーケンスを含むステップであって、ゼロフィル処理後に得られる前記第６の変調シンボルシーケンスマトリクス内のＶ個の非ゼロ要素シーケンスの、前記第２の次元における位置が、前記第６の変調シンボルシーケンス内の前記Ｖ個の非ゼロ変調シンボルの位置に対応する、ステップを更に含む、請求項７に記載の方法。
【請求項９】
データ処理装置であって、当該装置が、
情報ビットのＬ個のレイヤに対してマッピング処理を実行して、変調シンボルシーケンスのＬ個のレイヤを生成するように構成されたマッピング処理ユニットであって、変調シンボルシーケンスの各レイヤがＵ個の変調シンボルを含み、変調シンボルシーケンスの前記Ｌ個のレイヤが同一の時間周波数リソースに対応し、前記Ｕ個の変調シンボルが少なくとも１つの非ゼロ変調シンボル及び少なくとも１つのゼロ変調シンボルを含み、Ｌ≧２及びＵ≧２である、マッピング処理ユニットと、
変調シンボルシーケンスの各レイヤに対応するとともにＬ個のプリコーディングマトリクスの中にあるプリコーディングマトリクスに従って、変調シンボルシーケンスの各レイヤに対してプリコーディング処理を実行して、変調シンボルシーケンスマトリクスのＬ個のレイヤを生成するように構成されたプリコーディング処理ユニットであって、前記Ｌ個のプリコーディングマトリクスが変調シンボルシーケンスの前記Ｌ個のレイヤと１対１対応にあり、前記プリコーディングマトリクスが第１の次元におけるＴ個の要素シーケンスを含み、Ｔが情報ビットの前記Ｌ個のレイヤを送信するために使用される空間領域リソースの数であり、Ｔ≧２である、プリコーディング処理ユニットと、
変調シンボルシーケンスマトリクスの前記Ｌ個のレイヤに対して重ね合わせ処理を実行して、送るべきシンボルシーケンスマトリクスを生成するように構成された重ね合わせ処理ユニットであって、前記送るべきシンボルシーケンスマトリクスが前記第１の次元におけるＴ個の要素シーケンスを含み、前記送るべきシンボルシーケンスマトリクスが第２の次元におけるＵ個の要素シーケンスを含む、重ね合わせ処理ユニットとを備える、装置。
【請求項１０】
変調シンボルシーケンスの前記Ｌ個のレイヤ内の第１の変調シンボルシーケンスが少なくとも２つの非ゼロ変調シンボルを含むとき、前記第１の変調シンボルシーケンスに対応する第１のプリコーディングマトリクスにおいて、前記第１のプリコーディングマトリクスが、前記第２の次元における少なくとも２つの第１の要素シーケンスを含み、前記少なくとも２つの第１の要素シーケンスが、前記第１の変調シンボルシーケンス内に含まれる前記少なくとも２つの非ゼロ変調シンボルと１対１対応にあり、前記少なくとも２つの第１の要素シーケンスが異なる、請求項９に記載の装置。
【請求項１１】
前記プリコーディングマトリクスが、変調シンボルシーケンスの各レイヤに対応する受信端デバイスに従って決定される、請求項９又は請求項１０に記載の装置。
【請求項１２】
変調シンボルシーケンスの前記Ｌ個のレイヤ内の第２の変調シンボルシーケンスに対応する受信端デバイスが、変調シンボルシーケンスの前記Ｌ個のレイヤ内の第３の変調シンボルシーケンスに対応する受信端デバイスと同一であるとき、
前記第２の変調シンボルシーケンスに対応する第２のプリコーディングマトリクスにおいて、前記第２のプリコーディングマトリクスが、前記第２の次元における第２の要素シーケンスを含み、前記第２の要素シーケンスが第２の非ゼロ変調シンボルに対応し、前記第２の非ゼロ変調シンボルが、前記第２の変調シンボルシーケンス内に含まれる非ゼロ変調シンボルであり、
前記第３の変調シンボルシーケンスに対応する第３のプリコーディングマトリクスにおいて、前記第３のプリコーディングマトリクスが、前記第２の次元における第３の要素シーケンスを含み、前記第３の要素シーケンスが第３の非ゼロ変調シンボルに対応し、前記第３の非ゼロ変調シンボルが、前記第３の変調シンボルシーケンス内に含まれる非ゼロ変調シンボルであり、
前記第２の変調シンボルシーケンス内の前記第２の非ゼロ変調シンボルの位置が、前記第３の変調シンボルシーケンス内の前記第３の非ゼロ変調シンボルの位置に対応し、前記第２の要素シーケンスが前記第３の要素シーケンスと同一である、請求項１１に記載の装置。
【請求項１３】
変調シンボルシーケンスの前記Ｌ個のレイヤ内の第４の変調シンボルシーケンスに対応する受信端デバイスが、変調シンボルシーケンスの前記Ｌ個のレイヤ内の第５の変調シンボルシーケンスに対応する受信端デバイスと異なるとき、
前記第４の変調シンボルシーケンスに対応する第４のプリコーディングマトリクスにおいて、前記第４のプリコーディングマトリクスが、前記第２の次元における第４の要素シーケンスを含み、前記第４の要素シーケンスが第４の非ゼロ変調シンボルに対応し、前記第４の非ゼロ変調シンボルが、前記第４の変調シンボルシーケンス内に含まれる非ゼロ変調シンボルであり、
前記第５の変調シンボルシーケンスに対応する第５のプリコーディングマトリクスにおいて、前記第５のプリコーディングマトリクスが、前記第２の次元における第５の要素シーケンスを含み、前記第５の要素シーケンスが第５の非ゼロ変調シンボルに対応し、前記第５の非ゼロ変調シンボルが、前記第５の変調シンボルシーケンス内に含まれる非ゼロ変調シンボルであり、
前記第４の変調シンボルシーケンス内の前記第４の非ゼロ変調シンボルの位置が、前記第５の変調シンボルシーケンス内の前記第５の非ゼロ変調シンボルの位置に対応し、前記第４の要素シーケンスが前記第５の要素シーケンスと異なる、請求項１１に記載の装置。
【請求項１４】
各プリコーディングマトリクスが、前記第２の次元におけるＵ個の要素シーケンスを含み、各プリコーディングマトリクス内に含まれる非ゼロ要素シーケンスの、前記Ｕ個のシーケンスにおける位置が、対応する変調シンボルシーケンス内に含まれる非ゼロ変調シンボルの、前記Ｕ個の変調シンボルにおける位置に対応し、
前記重ね合わせ処理ユニットが、前記第１の次元における対応する位置及び前記第２の次元における対応する位置を有するとともに変調シンボルシーケンスマトリクスの前記Ｌ個のレイヤ内にある要素に対して重ね合わせ処理を実行するように構成される、請求項９から請求項１３のいずれか一項に記載の装置。
【請求項１５】
変調シンボルシーケンスの前記Ｌ個のレイヤ内の第６の変調シンボルシーケンスが、Ｖ個の非ゼロ変調シンボルを含み、Ｖ≧１であり、前記第６の変調シンボルシーケンスに対応する第６のプリコーディングマトリクスにおいて、前記第６のプリコーディングマトリクスが、第２の次元におけるＶ個の要素シーケンスを含み、
前記プリコーディング処理ユニットが、前記第１のプリコーディングマトリクスに従って、前記第１の変調シンボルシーケンスに対してプリコーディング処理を実行して、第１の変調シンボルシーケンスマトリクスを生成し、前記第１の変調シンボルシーケンスマトリクスが、前記第１の次元におけるＴ個の要素シーケンスを含み、前記第１の変調シンボルシーケンスマトリクスが、前記第２の次元におけるＶ個の要素シーケンスを含む、ように構成される、請求項１０に記載の装置。
【発明の詳細な説明】
【技術分野】
【０００１】
本発明は通信分野に関し、より詳細にはデータ処理方法、装置、及びデバイスに関する。
【背景技術】
【０００２】
技術の発展と共に、スパースコード多元接続（ＳＣＭＡ，Ｓｐａｒｓｅ  Ｃｏｄｅ  Ｍｕｌｔｉｐｌｅ  Ａｃｃｅｓｓ）技術又は直交周波数分割多重方式（ＯＦＤＭ，Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術などの技術では、複数の端末デバイスが同一の時間周波数リソースを多重化して、データを送信することが可能にされている。すなわち、送信端デバイスが、送信する必要のある情報ビットの複数のレイヤ上で符号化及び変調を実行して、変調シンボルの複数のレイヤを生成し、時間周波数リソース上の変調シンボルの複数のレイヤに対して重ね合わせ処理を実行した後、エアインタフェースを使用することによって、重ね合わせた変調シンボルを受信端デバイスに送り得る。
【０００３】
現在、多入力多出力（ＭＩＭＯ，Ｍｕｌｔｉｐｌｅ−Ｉｎｐｕｔ  Ｍｕｌｔｉｐｌｅ−Ｏｕｔｐｕｔ）技術が知られている。すなわち、送信端デバイス及び受信端デバイスは、複数のアンテナポートを使用することによってデータ伝送を実行し、システム容量及び伝送信頼性を改善し得る。
【０００４】
したがって、多入力多出力技術をスパースコード多元接続や直交周波数分割多重方式などの多重化技術と組み合わせ、通信システムの性能を更に改善することが期待される。
【０００５】
システム容量及び伝送信頼性を更に改善するために、上記の多入力多出力技術をスパースコード多元接続技術などとどのように組み合わせるかが、解決すべき緊急の問題である。
【０００６】
実現可能な解決策は、重ね合わせ処理が時間周波数リソース上の変調シンボルの複数のレイヤに対して実行された後で、時間周波数リソース上で搬送される、生成された信号に対して、送信端デバイスがプリコーディング処理を実行して、アンテナポートに対応する送信信号を生成し得ることである。
【０００７】
しかしながら、この解決策では、スペースダイバーシティ利得を効果的に使用することができない。例えば、複数の端末デバイスの信号が同一の時間周波数リソース上で搬送されるとき、上記のプリコーディング処理が実行された後で、複数のユーザの信号成分が同一のポートを使用することによって送られ、信号成分のそれぞれの最適なアンテナポートを同時に選択することができず、成分間の相互干渉が、受信端デバイスによる復号中に比較的高いビット誤り率を引き起こし、通信信頼性に重大な影響を及ぼす。
【発明の概要】
【０００８】
本発明の実施形態は、空間ダイバーシティ利得を十分に使用するように、データ処理方法、装置、及びデバイスを提供する。
【０００９】
第１の態様によれば、データ処理方法が提供され、方法は、送信端デバイスによって、情報ビットのＬ個のレイヤに対してマッピング処理を実行して、変調シンボルシーケンスのＬ個のレイヤを生成するステップであって、変調シンボルシーケンスの各レイヤがＵ個の変調シンボルを含み、変調シンボルシーケンスのＬ個のレイヤが同一の時間周波数リソースに対応し、Ｕ個の変調シンボルが少なくとも１つの非ゼロ変調シンボル及び少なくとも１つのゼロ変調シンボルを含み、Ｌ≧２及びＵ≧２である、ステップと、変調シンボルシーケンスの各レイヤに対応するとともにＬ個のプリコーディングマトリクスの中にあるプリコーディングマトリクスに従って、変調シンボルシーケンスの各レイヤに対してプリコーディング処理を実行して、変調シンボルシーケンスマトリクスのＬ個のレイヤを生成するステップであって、Ｌ個のプリコーディングマトリクスが変調シンボルシーケンスのＬ個のレイヤと１対１対応にあり、プリコーディングマトリクスが第１の次元におけるＴ個の要素シーケンスを含み、Ｔが情報ビットのＬ個のレイヤを送信するために使用される空間領域リソースの数であり、Ｔ≧２である、ステップと、変調シンボルシーケンスマトリクスのＬ個のレイヤに対して重ね合わせ処理を実行して、送るべきシンボルシーケンスマトリクスを生成するステップであって、送るべきシンボルシーケンスマトリクスが第１の次元におけるＴ個の要素シーケンスを含み、送るべきシンボルシーケンスマトリクスが第２の次元におけるＵ個の要素シーケンスを含む、ステップとを含む。
【００１０】
第１の態様を参照して、第１の態様の第１の実装方式では、変調シンボルシーケンスのＬ個のレイヤ内の第１の変調シンボルシーケンスが少なくとも２つの非ゼロ変調シンボルを含むとき、第１の変調シンボルに対応する第１のプリコーディングマトリクスにおいて、第１のプリコーディングマトリクスは、第２の次元における少なくとも２つの第１の要素シーケンスを含み、少なくとも２つの第１の要素シーケンスは、第１の変調シンボルシーケンス内に含まれる少なくとも２つの非ゼロ変調シンボルと１対１対応にあり、少なくとも２つの第１の要素シーケンスは異なる。
【００１１】
第１の態様及び第１の実装方式を参照して、第１の態様の第２の実装方式では、プリコーディングマトリクスは、変調シンボルシーケンスの各レイヤに対応する受信端デバイスに従って決定される。
【００１２】
第１の態様、及び第１と第２の実装方式のいずれかを参照して、第１の態様の第３の実装方式では、変調シンボルシーケンスのＬ個のレイヤ内の第２の変調シンボルシーケンスに対応する受信端デバイスが、変調シンボルシーケンスのＬ個のレイヤ内の第３の変調シンボルシーケンスに対応する受信端デバイスと同一であるとき、第２の変調シンボルシーケンスに対応する第２のプリコーディングマトリクスにおいて、第２のプリコーディングマトリクスは、第２の次元における第２の要素シーケンスを含み、第２の要素シーケンスは第２の非ゼロ変調シンボルに対応し、第２の非ゼロ変調シンボルは、第２の変調シンボルシーケンス内に含まれる非ゼロ変調シンボルであり、第３の変調シンボルシーケンスに対応する第３のプリコーディングマトリクスにおいて、第３のプリコーディングマトリクスは、第２の次元における第３の要素シーケンスを含み、第３の要素シーケンスは第３の非ゼロ変調シンボルに対応し、第３の非ゼロ変調シンボルは、第３の変調シンボルシーケンス内に含まれる非ゼロ変調シンボルであり、第２の変調シンボルシーケンス内の第２の非ゼロ変調シンボルの位置は、第３の変調シンボルシーケンス内の第３の非ゼロ変調シンボルの位置に対応し、第２の要素シーケンスは第３の要素シーケンスと同一である。
【００１３】
第１の態様、及び第１から第３の実装方式のいずれかを参照して、第１の態様の第４の実装方式では、変調シンボルシーケンスのＬ個のレイヤ内の第４の変調シンボルシーケンスに対応する受信端デバイスが、変調シンボルシーケンスのＬ個のレイヤ内の第５の変調シンボルシーケンスに対応する受信端デバイスと異なるとき、第４の変調シンボルシーケンスに対応する第４のプリコーディングマトリクスにおいて、第４のプリコーディングマトリクスは、第２の次元における第４の要素シーケンスを含み、第４の要素シーケンスは第４の非ゼロ変調シンボルに対応し、第４の非ゼロ変調シンボルは、第４の変調シンボルシーケンス内に含まれる非ゼロ変調シンボルであり、第５の変調シンボルシーケンスに対応する第５のプリコーディングマトリクスにおいて、第５のプリコーディングマトリクスは、第２の次元における第５の要素シーケンスを含み、第５の要素シーケンスは第５の非ゼロ変調シンボルに対応し、第５の非ゼロ変調シンボルは、第５の変調シンボルシーケンス内に含まれる非ゼロ変調シンボルであり、第４の変調シンボルシーケンス内の第４の非ゼロ変調シンボルの位置は、第５の変調シンボルシーケンス内の第５の非ゼロ変調シンボルの位置に対応し、第４の要素シーケンスは第５の要素シーケンスと異なる。
【００１４】
第１の態様、及び第１から第４の実装方式のいずれかを参照して、第１の態様の第５の実装方式では、各プリコーディングマトリクスは、第２の次元におけるＵ個の要素シーケンスを含み、各プリコーディングマトリクス内に含まれる非ゼロ要素シーケンスの、Ｕ個のシーケンスにおける位置は、対応する変調シンボルシーケンス内に含まれる非ゼロ変調シンボルの、Ｕ個の変調シンボルにおける位置に対応し、変調シンボルシーケンスマトリクスのＬ個のレイヤに対して重ね合わせ処理を実行するステップは、第１の次元における対応する位置及び第２の次元における対応する位置を有するとともに変調シンボルシーケンスマトリクスのＬ個のレイヤ内にある要素に対して重ね合わせ処理を実行するステップを含む。
【００１５】
第１の態様、及び第１から第５の実装方式のいずれかを参照して、第１の態様の第６の実装方式では、変調シンボルシーケンスのＬ個のレイヤ内の第６の変調シンボルシーケンスは、Ｖ個の非ゼロ変調シンボルを含み、Ｖ≧１であり、第６の変調シンボルシーケンスに対応する第６のプリコーディングマトリクスにおいて、第６のプリコーディングマトリクスは、第２の次元におけるＶ個の要素シーケンスを含み、変調シンボルシーケンスの各レイヤに対応するプリコーディングマトリクスに従って、変調シンボルシーケンスの各レイヤに対してプリコーディング処理を実行するステップは、第１のプリコーディングマトリクスに従って、第１の変調シンボルシーケンスに対してプリコーディング処理を実行して、第１の変調シンボルシーケンスマトリクスを生成するステップを含み、第１の変調シンボルシーケンスマトリクスは、第１の次元におけるＴ個の要素シーケンスを含み、第１の変調シンボルシーケンスマトリクスは、第２の次元におけるＶ個の要素シーケンスを含む。
【００１６】
第１の態様、及び第１から第６の実装方式のいずれかを参照して、第１の態様の第７の実装方式では、変調シンボルシーケンスマトリクスのＬ個のレイヤに対して重ね合わせ処理を実行するステップの前に、方法は、第６の変調シンボルシーケンス内のＶ個の非ゼロ変調シンボルの位置に従って、第６の変調シンボルシーケンスマトリクスに対してゼロフィル処理を実行し、その結果、ゼロフィル処理後に得られる第６の変調シンボルシーケンスマトリクスが、第２の次元におけるＵ個の要素シーケンスを含むステップであって、ゼロフィル処理後に得られる第１の変調シンボルシーケンスマトリクス内のＶ個の非ゼロ要素シーケンスの、第２の次元における位置が、第６の変調シンボルシーケンス内のＶ個の非ゼロ変調シンボルの位置に対応する、ステップを更に含む。
【００１７】
第１の態様、及び第１から第７の実装方式のいずれかを参照して、第１の態様の第８の実装方式では、Ｔは、具体的には、情報ビットのＬ個のレイヤを送信するために使用されるアンテナポートの数である。
【００１８】
第１の態様、及び第１から第８の実装方式のいずれかを参照して、第１の態様の第９の実装方式では、送信端デバイスはネットワークデバイスであるか、又は送信端デバイスは端末デバイスである。
【００１９】
第１の態様、及び第１から第９の実装方式のいずれかを参照して、第１の態様の第１０の実装方式では、マッピング処理は、符号語を使用することによって実行されるマッピング処理であり、符号語は、情報ビットと少なくとも２つの変調シンボルとの間のマッピング関係を示すために使用される多次元複素ベクトルであり、少なくとも２つの変調シンボルは、少なくとも１つのゼロ変調シンボル及び少なくとも１つの非ゼロ変調シンボルを含む。
【００２０】
第２の態様によれば、データ処理装置が提供され、装置は、情報ビットのＬ個のレイヤに対してマッピング処理を実行して、変調シンボルシーケンスのＬ個のレイヤを生成するように構成されたマッピング処理ユニットであって、変調シンボルシーケンスの各レイヤがＵ個の変調シンボルを含み、変調シンボルシーケンスのＬ個のレイヤが同一の時間周波数リソースに対応し、Ｕ個の変調シンボルが少なくとも１つの非ゼロ変調シンボル及び少なくとも１つのゼロ変調シンボルを含み、Ｌ≧２及びＵ≧２である、マッピング処理ユニットと、変調シンボルシーケンスの各レイヤに対応するとともにＬ個のプリコーディングマトリクスの中にあるプリコーディングマトリクスに従って、変調シンボルシーケンスの各レイヤに対してプリコーディング処理を実行して、変調シンボルシーケンスマトリクスのＬ個のレイヤを生成するように構成されたプリコーディング処理ユニットであって、Ｌ個のプリコーディングマトリクスが変調シンボルシーケンスのＬ個のレイヤと１対１対応にあり、プリコーディングマトリクスが第１の次元におけるＴ個の要素シーケンスを含み、Ｔが情報ビットのＬ個のレイヤを送信するために使用される空間領域リソースの数であり、Ｔ≧２である、プリコーディング処理ユニットと、変調シンボルシーケンスマトリクスのＬ個のレイヤに対して重ね合わせ処理を実行して、送るべきシンボルシーケンスマトリクスを生成するように構成された重ね合わせ処理ユニットであって、送るべきシンボルシーケンスマトリクスが第１の次元におけるＴ個の要素シーケンスを含み、送るべきシンボルシーケンスマトリクスが第２の次元におけるＵ個の要素シーケンスを含む、重ね合わせ処理ユニットとを含む。
【００２１】
第２の態様を参照して、第２の態様の第１の実装方式では、変調シンボルシーケンスのＬ個のレイヤ内の第１の変調シンボルシーケンスが少なくとも２つの非ゼロ変調シンボルを含むとき、第１の変調シンボルに対応する第１のプリコーディングマトリクスにおいて、第１のプリコーディングマトリクスは、第２の次元における少なくとも２つの第１の要素シーケンスを含み、少なくとも２つの第１の要素シーケンスは、第１の変調シンボルシーケンス内に含まれる少なくとも２つの非ゼロ変調シンボルと１対１対応にあり、少なくとも２つの第１の要素シーケンスは異なる。
【００２２】
第２の態様及び第１の実装方式を参照して、第２の態様の第２の実装方式では、プリコーディングマトリクスは、変調シンボルシーケンスの各レイヤに対応する受信端デバイスに従って決定される。
【００２３】
第２の態様、及び第１と第２の実装方式のいずれかを参照して、第２の態様の第３の実装方式では、変調シンボルシーケンスのＬ個のレイヤ内の第２の変調シンボルシーケンスに対応する受信端デバイスが、変調シンボルシーケンスのＬ個のレイヤ内の第３の変調シンボルシーケンスに対応する受信端デバイスと同一であるとき、第２の変調シンボルシーケンスに対応する第２のプリコーディングマトリクスにおいて、第２のプリコーディングマトリクスは、第２の次元における第２の要素シーケンスを含み、第２の要素シーケンスは第２の非ゼロ変調シンボルに対応し、第２の非ゼロ変調シンボルは、第２の変調シンボルシーケンス内に含まれる非ゼロ変調シンボルであり、第３の変調シンボルシーケンスに対応する第３のプリコーディングマトリクスにおいて、第３のプリコーディングマトリクスは、第２の次元における第３の要素シーケンスを含み、第３の要素シーケンスは第３の非ゼロ変調シンボルに対応し、第３の非ゼロ変調シンボルは、第３の変調シンボルシーケンス内に含まれる非ゼロ変調シンボルであり、第２の変調シンボルシーケンス内の第２の非ゼロ変調シンボルの位置は、第３の変調シンボルシーケンス内の第３の非ゼロ変調シンボルの位置に対応し、第２の要素シーケンスは第３の要素シーケンスと同一である。
【００２４】
第２の態様、及び第１から第３の実装方式のいずれかを参照して、第２の態様の第４の実装方式では、変調シンボルシーケンスのＬ個のレイヤ内の第４の変調シンボルシーケンスに対応する受信端デバイスが、変調シンボルシーケンスのＬ個のレイヤ内の第５の変調シンボルシーケンスに対応する受信端デバイスと異なるとき、第４の変調シンボルシーケンスに対応する第４のプリコーディングマトリクスにおいて、第４のプリコーディングマトリクスは、第２の次元における第４の要素シーケンスを含み、第４の要素シーケンスは第４の非ゼロ変調シンボルに対応し、第４の非ゼロ変調シンボルは、第４の変調シンボルシーケンス内に含まれる非ゼロ変調シンボルであり、第５の変調シンボルシーケンスに対応する第５のプリコーディングマトリクスにおいて、第５のプリコーディングマトリクスは、第２の次元における第５の要素シーケンスを含み、第５の要素シーケンスは第５の非ゼロ変調シンボルに対応し、第５の非ゼロ変調シンボルは、第５の変調シンボルシーケンス内に含まれる非ゼロ変調シンボルであり、第４の変調シンボルシーケンス内の第４の非ゼロ変調シンボルの位置は、第５の変調シンボルシーケンス内の第５の非ゼロ変調シンボルの位置に対応し、第４の要素シーケンスは第５の要素シーケンスと異なる。
【００２５】
第２の態様、及び第１から第４の実装方式のいずれかを参照して、第２の態様の第５の実装方式では、各プリコーディングマトリクスは、第２の次元におけるＵ個の要素シーケンスを含み、各プリコーディングマトリクス内に含まれる非ゼロ要素シーケンスの、Ｕ個のシーケンスにおける位置が、対応する変調シンボルシーケンス内に含まれる非ゼロ変調シンボルの、Ｕ個の変調シンボルにおける位置に対応し、重ね合わせ処理ユニットが、具体的には、第１の次元における対応する位置及び第２の次元における対応する位置を有するとともに変調シンボルシーケンスマトリクスのＬ個のレイヤ内にある要素に対して重ね合わせ処理を実行するように構成される。
【００２６】
第２の態様、及び第１から第５の実装方式のいずれかを参照して、第２の態様の第６の実装方式では、変調シンボルシーケンスのＬ個のレイヤ内の第６の変調シンボルシーケンスは、Ｖ個の非ゼロ変調シンボルを含み、Ｖ≧１であり、第６の変調シンボルシーケンスに対応する第６のプリコーディングマトリクスにおいて、第６のプリコーディングマトリクスは、第２の次元におけるＶ個の要素シーケンスを含み、プリコーディング処理ユニットは、具体的には、第１のプリコーディングマトリクスに従って、第１の変調シンボルシーケンスに対してプリコーディング処理を実行して、第１の変調シンボルシーケンスマトリクスを生成し、第１の変調シンボルシーケンスマトリクスが、第１の次元におけるＴ個の要素シーケンスを含み、第１の変調シンボルシーケンスマトリクスが、第２の次元におけるＶ個の要素シーケンスを含む、ように構成される。
【００２７】
第２の態様、及び第１から第６の実装方式のいずれかを参照して、第２の態様の第７の実装方式では、変調シンボルシーケンスマトリクスのＬ個のレイヤに対して重ね合わせ処理を実行する前に、重ね合わせ処理ユニットは、具体的には、第６の変調シンボルシーケンス内のＶ個の非ゼロ変調シンボルの位置に従って、第６の変調シンボルシーケンスマトリクスに対してゼロフィル処理を実行し、その結果、ゼロフィル処理後に得られる第６の変調シンボルシーケンスマトリクスが、第２の次元におけるＵ個の要素シーケンスを含み、ゼロフィル処理後に得られる第１の変調シンボルシーケンスマトリクス内のＶ個の非ゼロ要素シーケンスの、第２の次元における位置が、第６の変調シンボルシーケンス内のＶ個の非ゼロ変調シンボルの位置に対応する、ように更に構成される。
【００２８】
第２の態様、及び第１から第７の実装方式のいずれかを参照して、第２の態様の第８の実装方式では、Ｔは、具体的には、情報ビットのＬ個のレイヤを送信するために使用されるアンテナポートの数である。
【００２９】
第２の態様、及び第１から第８の実装方式のいずれかを参照して、第２の態様の第９の実装方式では、装置はネットワークデバイスであるか、又は装置は端末デバイスである。
【００３０】
第２の態様、及び第１から第９の実装方式のいずれかを参照して、第２の態様の第１０の実装方式では、マッピング処理ユニットは、具体的には、符号語を使用することによってマッピング処理を実行し、符号語が、情報ビットと少なくとも２つの変調シンボルとの間のマッピング関係を示すために使用される多次元複素ベクトルであり、少なくとも２つの変調シンボルが、少なくとも１つのゼロ変調シンボル及び少なくとも１つの非ゼロ変調シンボルを含む、ように構成される。
【００３１】
第３の態様によれば、データ処理デバイスが提供され、デバイスは、バスと、バスに接続されたプロセッサと、バスに接続されたメモリとを含み、プロセッサは、バスを使用することによって、メモリ内に記憶されたプログラムを起動して、変調シンボルシーケンスのＬ個のレイヤを生成するように、情報ビットのＬ個のレイヤに対してマッピング処理を実行し、ここで、変調シンボルシーケンスの各レイヤがＵ個の変調シンボルを含み、変調シンボルシーケンスのＬ個のレイヤが同一の時間周波数リソースに対応し、Ｕ個の変調シンボルが少なくとも１つの非ゼロ変調シンボル及び少なくとも１つのゼロ変調シンボルを含み、Ｌ≧２及びＵ≧２であり、変調シンボルシーケンスの各レイヤに対応するとともにＬ個のプリコーディングマトリクスの中にあるプリコーディングマトリクスに従って、変調シンボルシーケンスの各レイヤに対してプリコーディング処理を実行して、変調シンボルシーケンスマトリクスのＬ個のレイヤを生成し、ここで、Ｌ個のプリコーディングマトリクスが変調シンボルシーケンスのＬ個のレイヤと１対１対応にあり、プリコーディングマトリクスが第１の次元におけるＴ個の要素シーケンスを含み、Ｔが情報ビットのＬ個のレイヤを送信するために使用される空間領域リソースの数であり、Ｔ≧２であり、そして変調シンボルシーケンスマトリクスのＬ個のレイヤに対して重ね合わせ処理を実行して、送るべきシンボルシーケンスマトリクスを生成し、ここで、送るべきシンボルシーケンスマトリクスが第１の次元におけるＴ個の要素シーケンスを含み、送るべきシンボルシーケンスマトリクスが第２の次元におけるＵ個の要素シーケンスを含む。
【００３２】
第３の態様を参照して、第３の態様の第１の実装方式では、変調シンボルシーケンスのＬ個のレイヤ内の第１の変調シンボルシーケンスが少なくとも２つの非ゼロ変調シンボルを含むとき、第１の変調シンボルに対応する第１のプリコーディングマトリクスにおいて、第１のプリコーディングマトリクスは、第２の次元における少なくとも２つの第１の要素シーケンスを含み、少なくとも２つの第１の要素シーケンスは、第１の変調シンボルシーケンス内に含まれる少なくとも２つの非ゼロ変調シンボルと１対１対応にあり、少なくとも２つの第１の要素シーケンスは異なる。
【００３３】
第３の態様及び第１の実装方式を参照して、第３の態様の第２の実装方式では、プリコーディングマトリクスは、変調シンボルシーケンスの各レイヤに対応する受信端デバイスに従って決定される。
【００３４】
第３の態様、及び第１と第２の実装方式のいずれかを参照して、第３の態様の第３の実装方式では、変調シンボルシーケンスのＬ個のレイヤ内の第２の変調シンボルシーケンスに対応する受信端デバイスが、変調シンボルシーケンスのＬ個のレイヤ内の第３の変調シンボルシーケンスに対応する受信端デバイスと同一であるとき、第２の変調シンボルシーケンスに対応する第２のプリコーディングマトリクスにおいて、第２のプリコーディングマトリクスは、第２の次元における第２の要素シーケンスを含み、第２の要素シーケンスは第２の非ゼロ変調シンボルに対応し、第２の非ゼロ変調シンボルは、第２の変調シンボルシーケンス内に含まれる非ゼロ変調シンボルであり、第３の変調シンボルシーケンスに対応する第３のプリコーディングマトリクスにおいて、第３のプリコーディングマトリクスは、第２の次元における第３の要素シーケンスを含み、第３の要素シーケンスは第３の非ゼロ変調シンボルに対応し、第３の非ゼロ変調シンボルは、第３の変調シンボルシーケンス内に含まれる非ゼロ変調シンボルであり、第２の変調シンボルシーケンス内の第２の非ゼロ変調シンボルの位置は、第３の変調シンボルシーケンス内の第３の非ゼロ変調シンボルの位置に対応し、第２の要素シーケンスは第３の要素シーケンスと同一である。
【００３５】
第３の態様、及び第１から第３の実装方式のいずれかを参照して、第３の態様の第４の実装方式では、変調シンボルシーケンスのＬ個のレイヤ内の第４の変調シンボルシーケンスに対応する受信端デバイスが、変調シンボルシーケンスのＬ個のレイヤ内の第５の変調シンボルシーケンスに対応する受信端デバイスと異なるとき、第４の変調シンボルシーケンスに対応する第４のプリコーディングマトリクスにおいて、第４のプリコーディングマトリクスは、第２の次元における第４の要素シーケンスを含み、第４の要素シーケンスは第４の非ゼロ変調シンボルに対応し、第４の非ゼロ変調シンボルは、第４の変調シンボルシーケンス内に含まれる非ゼロ変調シンボルであり、第５の変調シンボルシーケンスに対応する第５のプリコーディングマトリクスにおいて、第５のプリコーディングマトリクスは、第２の次元における第５の要素シーケンスを含み、第５の要素シーケンスは第５の非ゼロ変調シンボルに対応し、第５の非ゼロ変調シンボルは、第５の変調シンボルシーケンス内に含まれる非ゼロ変調シンボルであり、第４の変調シンボルシーケンス内の第４の非ゼロ変調シンボルの位置は、第５の変調シンボルシーケンス内の第５の非ゼロ変調シンボルの位置に対応し、第４の要素シーケンスは第５の要素シーケンスと異なる。
【００３６】
第３の態様、及び第１から第４の実装方式のいずれかを参照して、第３の態様の第５の実装方式では、各プリコーディングマトリクスは、第２の次元におけるＵ個の要素シーケンスを含み、各プリコーディングマトリクス内に含まれる非ゼロ要素シーケンスの、Ｕ個のシーケンスにおける位置は、対応する変調シンボルシーケンス内に含まれる非ゼロ変調シンボルの、Ｕ個の変調シンボルにおける位置に対応し、プロセッサは、具体的には、第１の次元における対応する位置及び第２の次元における対応する位置を有するとともに変調シンボルシーケンスマトリクスのＬ個のレイヤ内にある要素に対して重ね合わせ処理を実行するように構成される。
【００３７】
第３の態様、及び第１から第５の実装方式のいずれかを参照して、第３の態様の第６の実装方式では、変調シンボルシーケンスのＬ個のレイヤ内の第６の変調シンボルシーケンスは、Ｖ個の非ゼロ変調シンボルを含み、Ｖ≧１であり、第６の変調シンボルシーケンスに対応する第６のプリコーディングマトリクスにおいて、第６のプリコーディングマトリクスは、第２の次元におけるＶ個の要素シーケンスを含み、プロセッサは、具体的には、第１のプリコーディングマトリクスに従って、第１の変調シンボルシーケンスに対してプリコーディング処理を実行して、第１の変調シンボルシーケンスマトリクスを生成し、第１の変調シンボルシーケンスマトリクスが、第１の次元におけるＴ個の要素シーケンスを含み、第１の変調シンボルシーケンスマトリクスが、第２の次元におけるＶ個の要素シーケンスを含む、ように構成される。
【００３８】
第３の態様、及び第１から第６の実装方式のいずれかを参照して、第３の態様の第７の実装方式では、変調シンボルシーケンスマトリクスのＬ個のレイヤに対して重ね合わせ処理を実行する前に、プロセッサは、具体的には、第６の変調シンボルシーケンス内のＶ個の非ゼロ変調シンボルの位置に従って、第６の変調シンボルシーケンスマトリクスに対してゼロフィル処理を実行し、その結果、ゼロフィル処理後に得られる第６の変調シンボルシーケンスマトリクスが、第２の次元におけるＵ個の要素シーケンスを含み、ゼロフィル処理後に得られる第１の変調シンボルシーケンスマトリクス内のＶ個の非ゼロ要素シーケンスの、第２の次元における位置が、第６の変調シンボルシーケンス内のＶ個の非ゼロ変調シンボルの位置に対応する、ように更に構成される。
【００３９】
第３の態様、及び第１から第７の実装方式のいずれかを参照して、第３の態様の第８の実装方式では、Ｔは、具体的には、情報ビットのＬ個のレイヤを送信するために使用されるアンテナポートの数である。
【００４０】
第３の態様、及び第１から第８の実装方式のいずれかを参照して、第３の態様の第９の実装方式では、デバイスはネットワークデバイスであるか、又はデバイスは端末デバイスである。
【００４１】
第３の態様、及び第１から第９の実装方式のいずれかを参照して、第３の態様の第１０の実装方式では、プロセッサは、具体的には、符号語を使用することによってマッピング処理を実行し、符号語が、情報ビットと少なくとも２つの変調シンボルとの間のマッピング関係を示すために使用される多次元複素ベクトルであり、少なくとも２つの変調シンボルが、少なくとも１つのゼロ変調シンボル及び少なくとも１つの非ゼロ変調シンボルを含む、ように構成される。
【００４２】
本発明の実施形態でのデータ処理方法、装置、及びデバイスによれば、送信端デバイスは、変調シンボルの複数のレイヤにそれぞれ対応する複数のプリコーディングマトリクスを取得し、複数のプリコーディングマトリクスに基づいて、対応する変調シンボルに対してプリコーディング処理を実行して、各空間領域リソースについての変調シンボルの各レイヤの構成要素を取得し、空間ダイバーシティ利得を効果的に使用し、各空間領域リソースに対応する、生成された送信すべき信号の信号対雑音比を改善し、受信端が復号を実行するときのビット誤り率を低減するように、変調シンボルのプリコーディング後の複数のレイヤに対して重ね合わせ処理を実行することができ、その結果、通信信頼性が著しく改善されることができる。
【００４３】
本発明の実施形態での技術的解決策をより明確に説明するために、下記では、実施形態を説明するために必要な添付図面を簡潔に説明する。明らかに、下記の説明での添付図面は、本発明のいくつかの実施形態を示すに過ぎず、当業者は、創造的な努力なしに、これらの添付図面とは別の図面を更に導出し得る。
【図面の簡単な説明】
【００４４】
【図１】本発明のデータ処理方法が適用可能である通信システムの概略図である。
【図２】本発明の一実施形態によるデータ処理方法の概略フローチャートである。
【図３】ＳＣＭＡのビットマッピング処理の概略図である。
【図４】本発明の一実施形態によるデータ処理方法の概略フローチャートである。
【図５】本発明の一実施形態によるデータ処理装置の概略構造図である。
【図６】本発明の一実施形態によるデータ処理デバイスの概略構造図である。
【発明を実施するための形態】
【００４５】
下記では、本発明の実施形態での添付図面を参照しながら、本発明の実施形態での技術的解決策を明確に説明する。明らかに、記載の実施形態は、本発明の実施形態のすべてではなく、一部である。創造的な努力なしに本発明の実施形態に基づいて当業者によって得られるすべての他の実施形態は、本発明の保護範囲内に包含されるものとする。
【００４６】
本明細書で使用される「構成要素」、「モジュール」、「システム」などの用語は、コンピュータ関連エンティティ、ハードウェア、ファームウェア、ハードウェアとソフトウェアの組み合わせ、ソフトウェア、又は動作中のソフトウェアを示すために使用される。例えば、構成要素は、限定はしないが、プロセッサ上で動作するプロセス、プロセッサ、オブジェクト、実行可能ファイル、実行スレッド、プログラム、及び／又はコンピュータであり得る。図に示されるように、コンピューティングデバイスと、コンピューティングデバイス上で動作するアプリケーションの両方が構成要素であり得る。１つ又は複数の構成要素は、プロセス及び／又は実行スレッド内に常駐し得るとともに、構成要素は、１つのコンピュータ上に配置され得るか、及び／又は２つ以上のコンピュータ間に分散され得る。さらに、これらの構成要素は、様々なデータ構造を記憶する様々なコンピュータ読み取り可能な媒体から実行され得る。例えば、構成要素は、ローカル及び／又はリモートプロセスを使用することによって、且つ、例えば１つ又は複数のデータパケット（例えば、ローカルシステム、分散システム内の別の構成要素と対話するか、及び／又は信号を使用することによって他のシステムと対話するインターネットなどのネットワークを介して対話する、１つの構成要素からのデータ）を有する信号に従って通信し得る。
【００４７】
本発明では端末デバイスを参照しながら実施形態が説明される。端末デバイスは、ユーザ機器（ＵＥ，Ｕｓｅｒ  Ｅｑｕｉｐｍｅｎｔ）、アクセス端末、加入者ユニット、加入者局、モバイルサイト、移動局、リモート局、リモート端末、モバイルデバイス、ユーザ端末、端末、無線通信デバイス、ユーザエージェント、又はユーザ装置とも呼ばれることがある。アクセス端末は、セルラフォン、コードレスフォン、ＳＩＰ（Ｓｅｓｓｉｏｎ  Ｉｎｉｔｉａｔｉｏｎ  Ｐｒｏｔｏｃｏｌ，セッション開始プロトコル）フォン、ＷＬＬ（Ｗｉｒｅｌｅｓｓ  Ｌｏｃａｌ  Ｌｏｏｐ，ワイヤレスローカルループ）局、ＰＤＡ（Ｐｅｒｓｏｎａｌ  Ｄｉｇｉｔａｌ  Ａｓｓｉｓｔａｎｔ，携帯情報端末）、ワイヤレス通信機能を有するハンドヘルドデバイス、コンピューティングデバイス、ワイヤレスモデムに接続された別の処理デバイス、車両内デバイス、ウェアラブルデバイス、又は将来の５Ｇネットワーク内の端末デバイスであり得る。
【００４８】
さらに、本発明ではネットワークデバイスを参照しながら実施形態が説明される。ネットワークデバイスは、モバイルデバイスと通信するように構成される、ネットワーク側デバイスなどのデバイスであり得るとともに、ネットワーク側デバイスは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ，移動体通信のグローバルシステム）又はＣＤＭＡ（Ｃｏｄｅ  Ｄｉｖｉｓｉｏｎ  Ｍｕｌｔｉｐｌｅ  Ａｃｃｅｓｓ，符号分割多元接続）内のＢＴＳ（Ｂａｓｅ  Ｔｒａｎｓｃｅｉｖｅｒ  Ｓｔａｔｉｏｎ，基地トランシーバ局）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ，広帯域符号分割多元接続）内のＮＢ（ＮｏｄｅＢ，ノードＢ）、ＬＴＥ（Ｌｏｎｇ  Ｔｅｒｍ  Ｅｖｏｌｕｔｉｏｎ，ロングタームエボリューション）内のｅＮＢ又はｅＮｏｄｅＢ（Ｅｖｏｌｖｅｄ  ＮｏｄｅＢ，進化型ノードＢ）、中継局、アクセスポイント、車両内デバイス、ウェアラブルデバイス、又は将来の５Ｇネットワーク内のネットワーク側デバイスであり得る。
【００４９】
さらに、本発明の態様又は特徴は、標準プログラミング及び／又はエンジニアリング技術を使用する方法、装置、又は製品として実装され得る。本願で使用される「製品」という用語は、任意のコンピュータ読み取り可能な構成要素、搬送波又は媒体からアクセスされ得るコンピュータプログラムを包含する。例えば、コンピュータ読み取り可能な媒体は、限定はしないが、磁気記憶構成要素（例えば、ハードディスク、フロッピィディスク、又は磁気テープ）、光ディスク（例えば、ＣＤ（Ｃｏｍｐａｃｔ  Ｄｉｓｋ，コンパクトディスク）、ＤＶＤ（Ｄｉｇｉｔａｌ  Ｖｅｒｓａｔｉｌｅ  Ｄｉｓｋ，デジタルバーサタイルディスク））、スマートカード及びフラッシュメモリ構成要素（例えば、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ，消去可能プログラマブル読み出し専用メモリ）、カード、スティック、又はキードライブ）を含み得る。さらに、本明細書に記載の様々な記憶媒体は、１つ又は複数のデバイス及び／又は情報を記憶するために使用される他の機械読み取り可能な媒体を示し得る。「機械読み取り可能な媒体」という用語は、限定はしないが、無線通信路、並びに命令及び／又はデータを記憶、収容、及び／又は搬送し得る様々な他の媒体を含み得る。
【００５０】
図１は、本発明のデータ処理方法が適用可能である通信のシステムの概略図である。図１に示されるように、通信システム１００はネットワーク側デバイス１０２を含み、ネットワーク側デバイス１０２は複数のアンテナグループを含み得る。各アンテナグループは複数のアンテナを含み得る。例えば、１つのアンテナグループはアンテナ１０４及び１０６を含むことができ、別のアンテナグループはアンテナ１０８及び１１０を含むことができ、追加のグループはアンテナ１１２及び１１４を含むことができる。図１では、２つのアンテナが各アンテナグループ内に示されているが、より多くの、又はより少ないアンテナが各グループについて使用され得る。ネットワーク側デバイス１０２は、送信機チェーン及び受信機チェーンを更に含むことができ、送信機チェーンと受信機チェーンの両方が信号の送信及び受信に関する複数の構成要素（例えば、プロセッサ、変調器、マルチプレクサ、復調器、デマルチプレクサ、及びアンテナ）を含み得ることを、当業者は理解することができる。
【００５１】
ネットワーク側デバイス１０２は複数の端末デバイス（例えば、端末デバイス１１６及び端末デバイス１２２）と通信し得る。しかしながら、ネットワーク側デバイス１０２が端末デバイス１１６又は１２２と同様の任意の数の端末デバイスと通信し得ることを理解することができる。端末デバイス１１６及び１２２は、例えば、セルラフォン、スマートフォン、ポータブルコンピュータ、ハンドヘルド通信デバイス、ハンドヘルドコンピューティングデバイス、衛星ラジオ装置、全地球測位システム、ＰＤＡ、及び／又はワイヤレス通信システム１００において通信を実行するように構成された任意の他の適切なデバイスであり得る。
【００５２】
図１に示されるように、端末デバイス１１６はアンテナ１１２及び１１４と通信し、アンテナ１１２及び１１４は、順方向リンク１１８を使用することによって端末デバイス１１６に情報を送り、逆方向リンク１２０を使用することによって端末デバイス１１６から情報を受信する。さらに、端末デバイス１２２はアンテナ１０４及び１０６と通信し、アンテナ１０４及び１０６は、順方向リンク１２４を使用することによって端末デバイス１２２に情報を送り、逆方向リンク１２６を使用することによって端末デバイス１２２から情報を受信する。
【００５３】
例えば、周波数分割複信（ＦＤＤ，Ｆｒｅｑｕｅｎｃｙ  Ｄｉｖｉｓｉｏｎ  Ｄｕｐｌｅｘ）システムでは、例えば、順方向リンク１１８は、逆方向リンク１２０によって使用されるのと異なる周波数帯域を使用し得るとともに、順方向リンク１２４は、逆方向リンク１２６によって使用されるのと異なる周波数帯域を使用し得る。
【００５４】
別の例では、時分割複信（ＴＤＤ，Ｔｉｍｅ  Ｄｉｖｉｓｉｏｎ  Ｄｕｐｌｅｘ）システム及び全二重（Ｆｕｌｌ  Ｄｕｐｌｅｘ）システムでは、順方向リンク１１８及び逆方向リンク１２０は共通の周波数帯域を使用し得るとともに、順方向リンク１２４及び逆方向リンク１２６は共通の周波数帯域を使用し得る。
【００５５】
通信のために設計されたアンテナ及び／又はエリアの各グループは、ネットワーク側デバイス１０２のセクタと呼ばれる。例えば、アンテナグループは、ネットワーク側デバイス１０２のカバレッジエリアのセクタ内の端末デバイスと通信するように設計され得る。ネットワーク側デバイス１０２が順方向リンク１１８及び１２４をそれぞれ使用することによって端末デバイス１１６及び１２２と通信するプロセスでは、ネットワーク側デバイス１０２の送信アンテナが、ビームフォーミングによって順方向リンク１１８及び１２４の信号対雑音比を改善し得る。さらに、ネットワーク側デバイスが単一のアンテナを使用することによってネットワーク側デバイスのすべての端末デバイスに信号を送る方式と比較して、ネットワーク側デバイス１０２が、ビームフォーミングによって、関連するカバレッジエリア内に不規則に分散する端末デバイス１１６及び１２２に信号を送るとき、近隣セル内のモバイルデバイスが受ける干渉が小さくなる。
【００５６】
所与の時間に、ネットワーク側デバイス１０２、端末デバイス１１６、又は端末デバイス１２２は、ワイヤレス通信送信装置及び／又はワイヤレス通信受信装置であり得る。データを送るとき、ワイヤレス通信送信装置は、送信のためにデータを符号化し得る。具体的には、ワイヤレス通信送信装置は、チャネルを通じてワイヤレス通信受信装置に送る必要のある所与の数のデータビットを取得し（例えば、生成し、別の通信装置から受信し、又はメモリ内に記憶し）得る。そのようなデータビットは、データのトランスポートブロック（又は複数のトランスポートブロック）内に含まれ得るとともに、トランスポートブロックがセグメント化され、複数のコードブロックが生成され得る。
【００５７】
図２は、本発明の一実施形態による、送信端デバイスの観点から説明される情報伝送方法２００の概略フローチャートである。図２に示されるように、方法２００は下記のステップを含む。
【００５８】
Ｓ２１０．送信端デバイスが情報ビットのＬ個のレイヤに対してマッピング処理を実行して、変調シンボルシーケンスのＬ個のレイヤを生成し、変調シンボルシーケンスの各レイヤはＵ個の変調シンボルを含み、変調シンボルシーケンスのＬ個のレイヤは同一の時間周波数リソースに対応し、Ｕ個の変調シンボルは少なくとも１つの非ゼロ変調シンボル及び少なくとも１つのゼロ変調シンボルを含み、Ｌ≧２及びＵ≧２である。
【００５９】
Ｓ２２０．変調シンボルシーケンスの各レイヤに対応するとともにＬ個のプリコーディングマトリクスの中にあるプリコーディングマトリクスに従って、変調シンボルシーケンスの各レイヤに対してプリコーディング処理を実行して、変調シンボルシーケンスマトリクスのＬ個のレイヤを生成し、Ｌ個のプリコーディングマトリクスは変調シンボルシーケンスのＬ個のレイヤと１対１対応にあり、プリコーディングマトリクスは第１の次元におけるＴ個の要素シーケンスを含み、Ｔは情報ビットのＬ個のレイヤを送信するために使用される空間領域リソースの数であり、Ｔ≧２である。
【００６０】
Ｓ２３０．変調シンボルシーケンスマトリクスのＬ個のレイヤに対して重ね合わせ処理を実行して、送るべきシンボルシーケンスマトリクスを生成し、送るべきシンボルシーケンスマトリクスは第１の次元におけるＴ個の要素シーケンスを含み、送るべきシンボルシーケンスマトリクスは第２の次元におけるＵ個の要素シーケンスを含む。
【００６１】
任意選択で、送信端デバイスはネットワークデバイスであるか、又は
送信端デバイスは端末デバイスである。
【００６２】
本発明のこの実施形態では、送信端デバイスはネットワークデバイス（例えば、ネットワーク側デバイス）であることができ、すなわち、方法２００はダウンリンク伝送に適用され得る。
【００６３】
或いは、送信端デバイスは端末デバイス（例えば、ユーザ機器）であることができ、すなわち、方法２００はアップリンク伝送に適用され得る。
【００６４】
理解及び説明を容易にするために、下記では、送信端デバイスとしてネットワークデバイスを使用することによって方法２００の手順を詳細に説明する（すなわち、本発明のこの実施形態でのデータ処理方法２００は、送信端デバイスによって実行される）。
【００６５】
具体的には、Ｓ２１０では、ネットワークデバイスは、Ｌ個の端末デバイス（理解及び説明を容易にするために、下記では端末デバイス＃１から端末デバイス＃Ｌと符号を付ける）に送る必要のある情報ビットに対してマッピング処理を実行して、Ｌ個のシンボルシーケンスを生成し得る。本発明の実施形態でのデータ処理方法２００が使用される通信システム１００では、複数の端末デバイスが、同一の時間周波数リソースを多重化して、ネットワークデバイスとの間でデータ伝送を実行し、すなわち、Ｌ個のシンボルシーケンスは同一の時間周波数リソースに対応することに留意されたい。
【００６６】
さらに、例えばリソース要素（ＲＥ，Ｒｅｓｏｕｒｃｅ  Ｅｌｅｍｅｎｔ）ユニットに基づく時間周波数リソース分割方式での、同一の時間周波数リソースは、複数のＲＥを含む時間周波数リソースブロック（時間周波数リソースグループとも呼ばれる）であることができ、複数のＲＥは、時間領域内の同一の位置を有し（すなわち、同一のシンボルに対応し）、周波数領域内の異なる位置を有し（すなわち、異なる副搬送波に対応し）得るか、又は複数のＲＥは、時間領域内の異なる位置を有し（すなわち、異なるシンボルに対応し）、周波数領域内の同一の位置を有し（すなわち、同一の副搬送波に対応し）得る。このことは本発明では特に限定されない。
【００６７】
任意選択で、マッピング処理は、符号語を使用することによって実行されるマッピング処理である。符号語は、情報ビットと少なくとも２つの変調シンボルとの間のマッピング関係を示すために使用される多次元複素ベクトルであり、少なくとも２つの変調シンボルは、少なくとも１つのゼロ変調シンボル及び少なくとも１つの非ゼロ変調シンボルを含む。
【００６８】
さらに、任意選択で、送信端デバイスによって、情報ビットのＬ個のレイヤに対してマッピング処理を実行することは、
送信端デバイスによって、スパースコード多元接続ＳＣＭＡ方式で情報ビットのＬ個のレイヤに対してマッピング処理を実行することを含む。
【００６９】
具体的には、スパースコード多元接続（ＳＣＭＡ，Ｓｐａｒｓｅ  Ｃｏｄｅ  Ｍｕｌｔｉｐｌｅ  Ａｃｃｅｓｓ）は非直交多元接続技術である。もちろん、当業者はその技術をＳＣＭＡ以外の別の技術と呼ぶことがある。この技術では、複数の異なるデータストリームが、コードブックを使用することによって同一の伝送リソース上で送信され、異なるデータストリームは異なるコードブックを使用し、それによってリソース利用率を改善する。データストリームは、１つの端末デバイスからのものであり得るか、又は異なる端末デバイスからのものであり得る。
【００７０】
ＳＣＭＡで使用されるコードブックは、２つ以上の符号語のセットである。
【００７１】
符号語は多次元複素ベクトルであり得る。符号語は２つ以上の次元を有し、データと２つ以上の変調シンボルとの間のマッピング関係を示すために使用される。変調シンボルは、少なくとも１つのゼロ変調シンボル及び少なくとも１つの非ゼロ変調シンボルを含み、データは２進ビットデータ又は多変量データであり得る。任意選択で、ゼロ変調シンボルと非ゼロ変調シンボルとの間の関係は、ゼロ変調シンボルの数が非ゼロ変調シンボルの数以上であることであり得る。
【００７２】
コードブックは２つ以上の符号語を含む。コードブックは、特定の長さのデータの可能なデータの組み合わせと、コードブック内の符号語との間のマッピング関係を示し得る。
【００７３】
ＳＣＭＡ技術では、データストリーム内のデータが、マッピング関係に従って、コードブック内の符号語、すなわち、多次元複素ベクトルとなるように直接的にマッピングされ、複数のリソース要素上のデータの拡張送信が実装される。本明細書では、データは２進ビットデータであり得るか、又は多変量データであり得るとともに、複数のリソース要素は、時間領域、周波数領域、空間領域、時間周波数領域、時間空間領域、又は時間周波数空間領域内のリソース要素であり得る。
【００７４】
ＳＣＭＡ内で使用される符号語は、ある程度スパース（sparse）であり得る。例えば、符号語内のゼロ要素の数は変調シンボルの数以上であることができ、その結果、受信端は、マルチユーザ検出技術を使用して、比較的低い複雑さで復号を実行し得る。本明細書では、ゼロ要素の数と変調シンボルの数との間の上記で列挙した関係は、スパース性（sparsity）に関する例示的説明に過ぎない。本発明はそれに限定されない。ゼロ要素の数の非ゼロ要素の数に対する比は、必要に応じて無作為に設定され得る。
【００７５】
通信システム１００の一例として、ＳＣＭＡシステムが列挙され得る。システム１００では、複数のユーザが、データ伝送のために同一の時間周波数リソースブロックを多重化する。各リソースブロックはいくつかのＲＥを含む。本明細書のＲＥは、ＯＦＤＭ技術での副搬送波シンボルユニットであり得るか、又は別のエアインタフェース技術での時間領域又は周波数領域リソース要素であり得る。例えば、Ｌ個の端末デバイスを含むＳＣＭＡシステムでは、利用可能なリソースがいくつかの直交時間周波数リソースブロックに分割され、各リソースブロックはＵ個のＲＥを含む。Ｕ個のＲＥは、時間領域内の同一の位置を有し得る。データを送るとき、端末デバイス＃Ｌはまず、送るべきデータをＳ個のビットのデータブロックに分割し、（ネットワークデバイスによって決定され、端末デバイスに配信された）コードブックを探索することによって、各データブロックを、Ｕ個の変調シンボルを含む変調シンボルシーケンスのグループＸ＃Ｌ＝｛Ｘ＃Ｌ１，Ｘ＃Ｌ２，．．．，Ｘ＃ＬＵ｝にマッピングし、シーケンス内の各変調シンボルはリソースブロック内の１つのＲＥに対応し、次いで、変調シンボルに従って信号波形を生成する。Ｓ個のビットのデータブロックについて、各コードブックは、２Ｓ個のタイプの可能なデータブロックに対応する２Ｓ個の異なる変調シンボルグループを含む。
【００７６】
上記のコードブックは、ＳＣＭＡ符号語セットであるＳＣＭＡコードブックとも呼ばれることがあり、ＳＣＭＡ符号語は、情報ビットから変調シンボルへのマッピング関係である。すなわち、ＳＣＭＡコードブックは上記のマッピング関係のセットである。
【００７７】
さらに、ＳＣＭＡでは、各端末デバイスに対応する変調シンボルグループＸ＃ｋ＝｛Ｘ＃ｋ１，Ｘ＃ｋ２，．．．，Ｘ＃ｋＬ｝において、少なくとも１つのシンボルはゼロシンボルであり、少なくとも１つのシンボルは非ゼロシンボルである。すなわち、１つの端末デバイスのデータについて、Ｌ個のＲＥの中で、いくつかのＲＥ（少なくとも１つのＲＥ）だけが端末デバイスのデータを搬送する。
【００７８】
図３は、６つのデータストリームが４つのリソース要素を多重化する一例を使用することによる、ＳＣＭＡのビットマッピング処理（又は符号化処理）の概略図である。図３に示されるように、６つのデータストリームが１つのグループを形成し、４つのリソース要素が１つの符号化ユニットを形成する。１つのリソース要素は１つの副搬送波、１つのＲＥ、又は１つのアンテナポートであり得る。図３では、データストリームとリソース要素との間に存在する接続線は、データストリームの少なくとも１つのデータの組み合わせが符号語を使用することによってマッピングされた後で得られる非ゼロ変調シンボルがリソース要素上で送られることを示し、データストリームとリソース要素との間に接続線が存在しないことは、データストリームのすべての可能なデータの組み合わせが符号語を使用することによってマッピングされ、リソース要素上で送られた後に得られるすべての変調シンボルがゼロ変調シンボルであることを示す。データストリームのデータの組み合わせは、下記の説明に従って理解され得る。例えば、２進ビットデータストリームでは、００、０１、１０、及び１１はすべて可能な２ビットのデータの組み合わせである。説明を容易にするために、各データストリームのデータがｓ１からｓ６として表現され、各リソース要素上で送られるシンボルがｘ１からｘ４として表現され、データストリームとリソース要素との間の接続線が、データストリームのデータが拡張された後で、変調シンボルがリソース要素上で送られること示す。変調シンボルはゼロシンボル（ゼロ要素に対応する）であり得るか、又は非ゼロシンボル（非ゼロ要素に対応する）であり得る。データストリームとリソース要素との間に接続線が存在しない場合、データストリームのデータが拡張された後で、変調シンボルがリソース要素上で送られないことを示す。
【００７９】
図３から知ることができるように、各データストリームのデータが、拡張された後で複数のリソース要素上で送られるとともに、各リソース要素上で送られるシンボルは、複数のデータストリームからデータを拡張した後に得られる非ゼロシンボルの重ね合わせである。例えば、データストリーム３のデータｓ３が拡張された後で、非ゼロシンボルがリソース要素１及びリソース要素２上で送られ、リソース要素３上で送られるデータｘ３は、データストリーム２、データストリーム４、及びデータストリーム６のデータｓ２、データｓ４、及びデータｓ６が拡張された後で得られる非ゼロシンボルの重ね合わせである。データストリームの数は、リソース要素の数よりも多い。したがって、ＳＣＭＡシステムは、システムにアクセスすることのできるユーザの数及びスペクトル効率を含む、ネットワーク容量を効果的に改善し得る。
【００８０】
コードブック内の符号語は、一般に下記の形を有する。
【数１】
0006386672.tif 000002
【００８１】
対応するコードブックは、一般に下記の形を有する。
【数２】
0006386672.tif 000003
上式で、Ｎは１より大きい正の整数であり、符号化ユニット内に含まれるリソース要素の数を表すことができるか、又は符号語の長さと理解されることができ、Ｑｍは１より大きい正の整数であり、コードブック内に含まれる符号語の数を表し、変調次数に対応し、例えば、４位相偏移キーイング（ＱＰＳＫ，Ｑｕａｄｒａｔｕｒｅ  Ｐｈａｓｅ  Ｓｈｉｆｔ  Ｋｅｙｉｎｇ）又は４次変調が使用されるとき、Ｑｍは４であり、ｑは正の整数且つ１≦ｑ≦Ｑｍであり、コードブック及び符号語内に含まれる要素ｃｎ，ｑは複素数であり、数学的には、ｃｎ，ｑは下記のように表現されることができる。
ｃｎ，ｑ∈｛０，α＊ｅｘｐ（ｊ＊β）｝，１≦ｎ≦Ｎ，１≦ｑ≦Ｑｍ
上式で、αは任意の実数であることができ、βは任意の値であることができ、Ｎ及びＱｍは正の整数であることができる。
【００８２】
さらに、コードブック内の符号語とデータとの間にマッピング関係が形成され得る。例えば、コードブック内の符号語と２ビットデータとの間にマッピング関係が形成され得る。
【００８３】
例えば、「００」は符号語１、すなわち
【数３】
0006386672.tif 000004
に対応することができ、「０１」は符号語２、すなわち
【数４】
0006386672.tif 000005
に対応することができ、「１０」は符号語３、すなわち
【数５】
0006386672.tif 000006
に対応することができ、「１１」は符号語４、すなわち
【数６】
0006386672.tif 000007
に対応することができる。
【００８４】
図３を参照すると、データストリームとリソース要素との間に接続線が存在するとき、データストリームに対応するコードブック及びコードブック内の符号語は下記の特徴を有するはずである。コードブック内の少なくとも１つの符号語について、非ゼロ変調シンボルが、対応するリソース要素上で送られる。例えば、データストリーム３とリソース要素１との間に接続線が存在するとき、データストリーム３に対応するコードブック内の少なくとも１つの符号語は、１≦ｑ≦Ｑｍとしてｃ１，ｑ≠０を満たす。
【００８５】
データストリームとリソース要素との間に接続線が存在しないとき、データストリームに対応するコードブック及びコードブック内の符号語は下記の特徴を有するはずである。コードブック内のすべての符号語について、ゼロ変調シンボルが、対応するリソース要素上で送られる。例えば、データストリーム３とリソース要素３との間に接続線が存在しないとき、データストリーム３に対応するコードブック内の任意の符号語は、１≦ｑ≦Ｑｍとしてｃ３，ｑ＝０を満たす。
【００８６】
結論として、変調次数がＱＰＳＫであるとき、図３のデータストリーム３に対応するコードブックは下記の形及び特徴を有し得る。
【数７】
0006386672.tif 000008
上式で、ｃｎ，ｑ＝α＊ｅｘｐ（ｊ＊β），１≦ｎ≦２，１≦ｑ≦４であり、α及びβは任意の実数であり、任意のｑについて１≦ｑ≦４であり、ｃ１，ｑ又はｃ２，ｑの一方は、他方がゼロである場合はゼロではないか、又はｃ１，ｑもｃ２，ｑもゼロではなく
【数８】
0006386672.tif 000009
且つ
【数９】
0006386672.tif 000010
となる、１≦ｑ１且つｑ２≦４であるｑ１及びｑ２の少なくとも１つのグループがある。
【００８７】
例えば、データストリーム３のデータｓ３が「１０」である場合、上記のマッピング規則に従って、データの組み合わせが、符号語、すなわち４次元複素ベクトルとなるようにマッピングされる。
【数１０】
0006386672.tif 000011
【００８８】
上記で論じたＳＣＭＡシステムは、本発明のデータ伝送方法及び装置が適用可能である通信システムの一例に過ぎないことを理解されたい。本発明はそれに限定されない。端末デバイスがデータ伝送を実行するために同一の期間内の同一の時間周波数リソースを多重化することを可能にし得る任意の他の通信システムは、本発明の保護範囲内に包含される。
【００８９】
理解及び説明を容易にするために、下記の実施形態では、別段に記載されていない限り、ＳＣＭＡシステム内のアプリケーションが、本発明のこの実施形態でのデータ処理方法を説明するための一例として使用される。
【００９０】
さらに、本発明のこの実施形態では、上記のマッピング処理プロセスは、既存のＳＣＭＡシステム内のマッピング処理プロセスと同様であり得る。本明細書では、反復を避けるため、詳細な説明は省略される。ＳＣＭＡシステム内のコードブックに対するスパース性要件のために、端末デバイスに対応し、Ｓ２１０でのマッピング処理で生成される変調シンボルシーケンスは、合計Ｕ個のシンボル（Ｕ個のＲＥに対応する）を含み、Ｖ個のシンボルは非ゼロシンボルである。
【００９１】
Ｓ２２０において、ネットワークデバイスは、シンボルにそれぞれ対応するプリコーディングマトリクスを決定し得る。
【００９２】
プリコーディングマトリクスは、プリコーディング符号語とも呼ばれることがあり、制御ビットとプリコーディングベクトルとの間のマッピング関係を示すために使用される。
【００９３】
まず、各次元におけるプリコーディングマトリクス内に含まれる要素の数が説明される。
【００９４】
本発明のこの実施形態では、マトリクスの次元は行及び列を含み、すなわち、第１の次元はマトリクスの行方向であり得るとともに、第２の次元はマトリクスの列方向であり得る。又は、第１の次元はマトリクスの列方向であり得るとともに、第２の次元はマトリクスの行方向であり得る。このことは本発明では特に限定されない。
【００９５】
本発明のこの実施形態では、各プリコーディングマトリクス内の１つの次元（すなわち、第１の次元における一例）は同数の要素を含み、数はＴである。理解を容易にするために、下記では、行方向が第１の次元として使用され、すなわち、各プリコーディングマトリクスがＴ個の行を含む一例を使用することによって説明を与える。Ｔは、ネットワークデバイスがＬ個の変調シンボルシーケンスを送るときに使用される空間領域リソースの数である。
【００９６】
任意選択で、Ｔは、具体的には、情報ビットのＬ個のレイヤを送信するために使用されるアンテナポートの数である。
【００９７】
具体的には、Ｔは、ネットワークデバイスがＬ個の変調シンボルシーケンスを送るときに使用されるアンテナポートの数であり得るか、又はＴは、ネットワークデバイスがＬ個の変調シンボルシーケンスを受信するときに使用されるアンテナの数であり得る。
【００９８】
別の次元（すなわち、第２の次元における一例）では、理解を容易にするために、下記では、列方向が第２の次元として使用される一例を使用することによって説明を与える。次元は、同数の要素（すなわち、ケース１）か、又は異なる数の要素（すなわち、ケース２）を含み得る。このことは本発明では特に限定されない。下記では、上記の２つのケースを別々に詳細に説明する。
【００９９】
ケース１
任意選択で、各プリコーディングマトリクスは、第２の次元におけるＵ個の要素シーケンスを含み、各プリコーディングマトリクス内に含まれる非ゼロ要素シーケンスの、Ｕ個のシーケンスにおける位置が、対応する変調シンボルシーケンス内に含まれる非ゼロ変調シンボルの、Ｕ個の変調シンボルにおける位置に対応する。
【０１００】
具体的には、本発明のこの実施形態では、プリコーディングマトリクスのスケールは同一であることができ、すなわち、各プリコーディングマトリクス内の各行が同数の要素を含み、各列が同数の要素を含む。
【０１０１】
前述のように、本発明のこの実施形態では、各プリコーディングマトリクスはＴ個の行を含み、すなわち、各プリコーディングマトリクス内の各列はＴ個の要素を含む。
【０１０２】
さらに、本発明のこの実施形態では、各プリコーディングマトリクスはＵ個の列（すなわち、Ｕ個の要素シーケンス）を含み、すなわち、各プリコーディングマトリクス内の各行はＵ個の要素を含む。
【０１０３】
一般性を失うことなく、変調シンボルシーケンスのＬ個のレイヤの１つの変調シンボルシーケンスが、変調シンボルシーケンス＃７として記録され、変調シンボルシーケンス＃７に対応するプリコーディングマトリクス＃７が一例として使用される。プリコーディングマトリクス＃７内に含まれる要素のＵ個の列（すなわち、Ｕ個の要素シーケンス）は、Ｖ個の非ゼロ列（すなわち、非ゼロ要素シーケンス）を含む。さらに、Ｖ個の非ゼロ列内の各列は、少なくとも１つの非ゼロ要素を含む。プリコーディングマトリクス＃７内のＶ個の非ゼロ列の位置（例えば、シーケンス番号）は、変調シンボルシーケンス＃７内の非ゼロ変調シンボルの位置（例えば、シーケンス番号）と同一である。
【０１０４】
位置が同一であるという上記で列挙した方式は、対応する位置の一例に過ぎず、本発明はそれに限定されないことを理解されたい。例えば、プリコーディングマトリクス内の非ゼロ列の位置と、変調シンボルシーケンス内の非ゼロ変調シンボルの位置との間の関係が生成されることができ、各変調シンボルシーケンスに対応するプリコーディングマトリクスが、関係に従って決定される。
【０１０５】
次いで、ケース１に対応するプリコーディング処理プロセス及び重ね合わせ処理プロセスが説明される。
【０１０６】
ケース２
任意選択で、変調シンボルシーケンスのＬ個のレイヤ内の第６の変調シンボルシーケンスが、Ｖ個の非ゼロ変調シンボルを含み、Ｖ≧１であり、
第６の変調シンボルシーケンスに対応する第６のプリコーディングマトリクスにおいて、第６のプリコーディングマトリクスは、第２の次元におけるＶ個の要素シーケンスを含む。
【０１０７】
変調シンボルシーケンスの各レイヤに対応するプリコーディングマトリクスに従って、変調シンボルシーケンスの各レイヤに対してプリコーディング処理を実行することは、
第１のプリコーディングマトリクスに従って、第１の変調シンボルシーケンスに対してプリコーディング処理を実行して、第１の変調シンボルシーケンスマトリクスを生成することであって、第１の変調シンボルシーケンスマトリクスが、第１の次元におけるＴ個の要素シーケンスを含み、第１の変調シンボルシーケンスマトリクスが、第２の次元におけるＶ個の要素シーケンスを含むこと、を含む。
【０１０８】
具体的には、本発明のこの実施形態では、プリコーディングマトリクスのスケールは同一であることができ、すなわち、各プリコーディングマトリクス内の各行は同数の要素を含み、各列は同数の要素を含む。
【０１０９】
前述のように、本発明のこの実施形態では、各プリコーディングマトリクスはＴ個の行を含み、すなわち、各プリコーディングマトリクス内の各列はＴ個の要素を含む。
【０１１０】
さらに、本発明のこの実施形態では、プリコーディングマトリクス内に含まれる列の数が異なり得る。
【０１１１】
一般性を失うことなく、変調シンボルシーケンスのＬ個のレイヤの１つの変調シンボルシーケンスが、変調シンボルシーケンス＃６として記録され、変調シンボルシーケンス＃６（すなわち、第６の変調シンボルシーケンスの一例）に対応するプリコーディングマトリクス＃６が一例として使用される。プリコーディングマトリクス＃６内に含まれる列の数は、変調シンボルシーケンス＃６内に含まれる非ゼロ要素の数と同一であり、すなわち、プリコーディングマトリクス＃６は要素のＶ個の列（すなわち、Ｖ個の要素シーケンス）を含む。
【０１１２】
本発明のこの実施形態では、第６の変調シンボルシーケンスは、変調シンボルシーケンスのＬ個のレイヤ内の変調シンボルシーケンスの１つのレイヤであり得るか、又は変調シンボルシーケンスのＬ個のレイヤ内の変調シンボルシーケンスの複数のレイヤであり得ることを理解されたい。このことは本発明では特に限定されない。さらに、第６の変調シンボルシーケンスが、変調シンボルシーケンスのＬ個のレイヤ内の変調シンボルシーケンスの複数のレイヤであるとき、変調シンボルシーケンスの各レイヤについての処理は、変調シンボルシーケンス＃６についての処理と同様である。反復を避けるため、同一又は同様のケースについての説明は省略される。
【０１１３】
次いで、ケース２に対応するプリコーディング処理プロセス及び重ね合わせ処理プロセスが説明される。
【０１１４】
上記では、本発明のこの実施形態での方法２００に従って決定されるプリコーディングマトリクスのスケール（すなわち、行の数及び列の数）を説明する。
【０１１５】
下記では、プリコーディングマトリクスにおける非ゼロ列（すなわち、少なくとも１つの非ゼロ要素を含む列）内の要素を決定するための方法を説明する。
【０１１６】
任意選択で、変調シンボルシーケンスのＬ個のレイヤ内の第１の変調シンボルシーケンスが少なくとも２つの非ゼロ変調シンボルを含むとき、第１の変調シンボルに対応する第１のプリコーディングマトリクスにおいて、第１のプリコーディングマトリクスは、第２の次元における少なくとも２つの第１の要素シーケンスを含み、少なくとも２つの第１の要素シーケンスは、第１の変調シンボルシーケンス内に含まれる少なくとも２つの非ゼロ変調シンボルと１対１対応にあり、少なくとも２つの第１の要素シーケンスは異なる。
【０１１７】
具体的には、１つの変調シンボルシーケンスが２つ以上の非ゼロ要素を含む場合、２つ以上の非ゼロ要素に対応し、変調シンボルシーケンスに対応するプリコーディングマトリクス内にある２つ以上の列は互いに異なり得る。
【０１１８】
例えば、一般性を失うことなく、変調シンボルシーケンス内のＬ個のレイヤ内の１つの変調シンボルシーケンスが、変調シンボルシーケンス＃１として記録され、変調シンボルシーケンス＃１（すなわち、第１の変調シンボルシーケンスの一例）に対応するプリコーディングマトリクス＃１（すなわち、第１のプリコーディングマトリクスの一例）が一例として使用される。
【０１１９】
変調シンボルシーケンス＃１が２つ以上の非ゼロ変調シンボルを含むとき、プリコーディングマトリクス＃１内に含まれる非ゼロ列（すなわち、第１の要素シーケンスの一例）の数が、変調シンボルシーケンス＃１内に含まれる非ゼロ要素の数と同一であり、非ゼロ列は互いに異なる。本明細書では、互いに異なる非ゼロ列が、下記の方式で実装され得る。
Ｎ個の非ゼロ列を対にして、
【数１１】
0006386672.tif 000012
個の非ゼロ列対を生成し、２つの非ゼロ列対ごとに、１つの非ゼロ列対の中の少なくとも１つの非ゼロ列が、他の非ゼロ列対内のどの非ゼロ列とも異なる。
【０１２０】
さらに、任意の非ゼロ列対内に含まれる２つの非ゼロ列において、少なくとも１つの同一位置（すなわち、列内の同一のシーケンス番号を有する位置）上の要素は互いに異なる。
【０１２１】
本発明のこの実施形態でのデータ処理方法によれば、同一の変調シンボルシーケンス内の非ゼロ要素を同一の受信端デバイスに送る必要がある。したがって、同一の変調シンボルシーケンス内の非ゼロ要素に対応するプリコーディングマトリクス内の要素シーケンスは互いに異なり、その結果、非ゼロ要素は異なるサブチャネルに対応し、非ゼロ要素間の干渉を低減し、それによって、受信端が復号を実行するときのビット誤り率を更に低減し、通信信頼性を改善する。
【０１２２】
任意選択で、プリコーディングマトリクスが、変調シンボルシーケンスの各レイヤに対応する受信端デバイスに従って決定される。
【０１２３】
本発明のこの実施形態では、任意の２つの変調シンボルシーケンスが、同一の受信端デバイスに対応し得る（すなわち、ケースＡ）か、又は異なる受信端デバイスに対応し得る（すなわち、ケースＢ）。下記では、上記の２つのケースでの処理を別々に詳細に説明する。
【０１２４】
ケースＡ
任意選択で、変調シンボルシーケンスのＬ個のレイヤ内の第２の変調シンボルシーケンスに対応する受信端デバイスが、変調シンボルシーケンスのＬ個のレイヤ内の第３の変調シンボルシーケンスに対応する受信端デバイスと同一であるとき、
第２の変調シンボルシーケンスに対応する第２のプリコーディングマトリクスにおいて、第２のプリコーディングマトリクスは、第２の次元における第２の要素シーケンスを含み、第２の要素シーケンスは第２の非ゼロ変調シンボルに対応し、第２の非ゼロ変調シンボルは、第２の変調シンボルシーケンス内に含まれる非ゼロ変調シンボルであり、
第３の変調シンボルシーケンスに対応する第３のプリコーディングマトリクスにおいて、第３のプリコーディングマトリクスは、第２の次元における第３の要素シーケンスを含み、第３の要素シーケンスは第３の非ゼロ変調シンボルに対応し、第３の非ゼロ変調シンボルは、第３の変調シンボルシーケンス内に含まれる非ゼロ変調シンボルであり、
第２の変調シンボルシーケンス内の第２の非ゼロ変調シンボルの位置が、第３の変調シンボルシーケンス内の第３の非ゼロ変調シンボルの位置に対応し、第２の要素シーケンスは第３の要素シーケンスと同一である。
【０１２５】
具体的には、２つの変調シンボルシーケンスが同一の受信端デバイスに対応する場合、２つの変調シンボルシーケンスに対応するプリコーディングマトリクス内の要素の２つの対応する列は同一であり得る。
【０１２６】
例えば、一般性を失うことなく、変調シンボルシーケンスのＬ個のレイヤ内の１つの変調シンボルシーケンスが、変調シンボルシーケンス＃２として記録され、変調シンボルシーケンス＃２（すなわち、第２の変調シンボルシーケンスの一例）に対応するプリコーディングマトリクス＃２（すなわち、第２のプリコーディングマトリクスの一例）が一例として使用される。さらに、変調シンボルシーケンスのＬ個のレイヤ内の別の変調シンボルシーケンスが、変調シンボルシーケンス＃３として記録され、変調シンボルシーケンス＃３（すなわち、第３の変調シンボルシーケンスの一例）に対応するプリコーディングマトリクス＃３（すなわち、第３のプリコーディングマトリクスの一例）が一例として使用される。
【０１２７】
変調シンボルシーケンス＃２がＡ個の非ゼロ変調シンボルを含むと仮定すると、前述のように、プリコーディングマトリクス＃２内に含まれる非ゼロ列（すなわち、第２の要素シーケンスの一例）の数は、変調シンボルシーケンス＃２内に含まれる非ゼロ要素の数と同一であり、非ゼロ列は互いに異なる。プリコーディングマトリクス＃２内に含まれる非ゼロ列は、非ゼロ列＃２１から非ゼロ列＃２Ａとして記録される。
【０１２８】
変調シンボルシーケンス＃３がＢ個の非ゼロ変調シンボルを含むと仮定すると、前述のように、プリコーディングマトリクス＃３内に含まれる非ゼロ列（すなわち、第３の要素シーケンスの一例）の数は、変調シンボルシーケンス＃３内に含まれる非ゼロ要素の数と同一であり、非ゼロ列は互いに異なる。プリコーディングマトリクス＃３内に含まれる非ゼロ列は、非ゼロ列＃３１から非ゼロ列＃３Ｂとして記録される。
【０１２９】
Ａ≦Ｂであるとき、非ゼロ列＃２１は非ゼロ列＃３１と同一になっても良く、非ゼロ列＃２２は非ゼロ列＃３２と同一になっても良く、それ以降、非ゼロ列＃２Ａが非ゼロ列＃３Ａと同一になる場合まで、同様である。
【０１３０】
本明細書では、２つの列（すなわち、２つの要素シーケンス）が同一であることは、２つの列内の各位置における要素が同一であることを指す場合があることに留意されたい。
【０１３１】
本発明のこの実施形態でのデータ処理方法によれば、２つの変調シンボルシーケンスを同一の受信端デバイスに送る必要があるとき、２つの変調シンボルシーケンス内の対応する（例えば、同一の）位置における非ゼロ要素が、プリコーディングマトリクス内の同一の要素シーケンスに対応し、その結果、同一のチャネルを使用することによってデータが同一の受信端デバイスに送られ得るとともに、通信信頼性が更に改善され得る。
【０１３２】
ケースＢ
任意選択で、変調シンボルシーケンスのＬ個のレイヤ内の第４の変調シンボルシーケンスに対応する受信端デバイスが、変調シンボルシーケンスのＬ個のレイヤ内の第５の変調シンボルシーケンスに対応する受信端デバイスと異なるとき、
第４の変調シンボルシーケンスに対応する第４のプリコーディングマトリクスにおいて、第４のプリコーディングマトリクスは、第２の次元における第４の要素シーケンスを含み、第４の要素シーケンスは第４の非ゼロ変調シンボルに対応し、第４の非ゼロ変調シンボルは、第４の変調シンボルシーケンス内に含まれる非ゼロ変調シンボルであり、
第５の変調シンボルシーケンスに対応する第５のプリコーディングマトリクスにおいて、第５のプリコーディングマトリクスは、第２の次元における第５の要素シーケンスを含み、第５の要素シーケンスは第５の非ゼロ変調シンボルに対応し、第５の非ゼロ変調シンボルは、第５の変調シンボルシーケンス内に含まれる非ゼロ変調シンボルであり、
第４の変調シンボルシーケンス内の第４の非ゼロ変調シンボルの位置が、第５の変調シンボルシーケンス内の第５の非ゼロ変調シンボルの位置に対応し、第４の要素シーケンスは第５の要素シーケンスと異なる。
【０１３３】
具体的には、２つの変調シンボルシーケンスが異なる受信端デバイスに対応する場合、プリコーディングマトリクス内の要素の２つの対応する列は、２つの異なる変調シンボルシーケンスに対応し得る。
【０１３４】
例えば、一般性を失うことなく、変調シンボルシーケンスのＬ個のレイヤ内の１つの変調シンボルシーケンスは、変調シンボルシーケンス＃４として記録され、変調シンボルシーケンス＃４（すなわち、第４の変調シンボルシーケンスの一例）に対応するプリコーディングマトリクス＃４（すなわち、第４のプリコーディングマトリクスの一例）が一例として使用される。さらに、変調シンボルシーケンスのＬ個のレイヤ内の別の変調シンボルシーケンスが、変調シンボルシーケンス＃５として記録され、変調シンボルシーケンス＃５（すなわち、第５の変調シンボルシーケンスの一例）に対応するプリコーディングマトリクス＃５（すなわち、第５のプリコーディングマトリクスの一例）が一例として使用される。
【０１３５】
変調シンボルシーケンス＃４がＣ個の非ゼロ変調シンボルを含むと仮定すると、前述のように、プリコーディングマトリクス＃４内に含まれる非ゼロ列（すなわち、第４の要素シーケンスの一例）の数は、変調シンボルシーケンス＃４内に含まれる非ゼロ要素の数と同一であり、非ゼロ列は互いに異なる。プリコーディングマトリクス＃４内に含まれる非ゼロ列は、非ゼロ列＃４１から非ゼロ列＃４Ｃとして記録される。
【０１３６】
変調シンボルシーケンス＃５がＤ個の非ゼロ変調シンボルを含むと仮定すると、前述のように、プリコーディングマトリクス＃５内に含まれる非ゼロ列（すなわち、第５の要素シーケンスの一例）の数は、変調シンボルシーケンス＃５内に含まれる非ゼロ要素の数と同一であり、非ゼロ列は互いに異なる。プリコーディングマトリクス＃５内に含まれる非ゼロ列は、非ゼロ列＃５１から非ゼロ列＃５Ｄとして記録される。
【０１３７】
Ｃ≦Ｄであるとき、非ゼロ列＃４１は非ゼロ列＃５１と異なっても良く、非ゼロ列＃４２は非ゼロ列＃５２と異なっても良く、それ以降、非ゼロ列＃４Ｃが非ゼロ列＃５Ｃと異なる場合まで、同様である。
【０１３８】
本明細書では、２つの列（すなわち、２つの要素シーケンス）が異なることは、２つの列内の少なくとも１つの位置上の要素が異なることを指す場合があることに留意されたい。
【０１３９】
本発明のこの実施形態でのデータ処理方法によれば、２つの変調シンボルシーケンスを異なる受信端デバイスに送る必要があるとき、２つの変調シンボルシーケンス内の対応する（例えば、同一の）位置における非ゼロ要素が、プリコーディングマトリクス内の異なる要素シーケンスに対応し、その結果、異なるチャネルを使用することによってデータが異なる受信端デバイスに送られることができ、その異なる受信端デバイスのデータ間の干渉が低減されることができ、それによって、受信端が復号を実行するときのビット誤り率を更に低減し、通信信頼性を更に改善する。
【０１４０】
前述のように各変調シンボルシーケンスに対応するプリコーディングマトリクスを決定した後、ネットワークデバイスは、各変調シンボルシーケンスに対してプリコーディング処理を実行し得る。
【０１４１】
具体的には、例えば、ＳＣＭＡ符号化の後、情報ビットのＬ個のレイヤが変調シンボルシーケンスｘｌに別々にマッピングされると仮定される。ただしｌ＝１，．．．，Ｌである。
【０１４２】
ｘｌに対してプリコーディング処理を一例として使用すると、ｘｌ内の非ゼロシンボルが対角要素として使用され、対角行列
【数１２】
0006386672.tif 000013
が形成される。したがって、ｘｌに対応する変調シンボルシーケンスマトリクスｙｌが、下記の式１に従ってｘｌをプリコーディングすることによって取得され得る。
【数１３】
0006386672.tif 000014
上式で、Ｗｌは、Ｔ個の行及びＶ個の列を含むマトリクスであり、ケースＡ又はケースＢでの解が満たされるとき、マトリクス内の要素を決定する方法は、従来技術での方法と同様になり得る。本明細書では、反復を避けるため、詳細な説明は省略される。
【０１４３】
Ｓ２３０では、ネットワークデバイスは、上記の生成された変調シンボルシーケンスマトリクスに対して重ね合わせ処理を実行し得る。
【０１４４】
本発明のこの実施形態では、ネットワークデバイスは、変調シンボルシーケンスの各レイヤ内の非ゼロ変調シンボルの位置に従って、重ね合わせ処理を実行し得る。
【０１４５】
例えば、ネットワークデバイスは、それぞれの変調シンボルシーケンスマトリクス内にあるとともに同一のＲＥに対応する列を重ね合わせ、各ＲＥに対応する送るべきシンボルシーケンスを取得し得る。
【０１４６】
例えば、任意選択で、Ｌ個のプリコーディングマトリクスを決定することは、
Ｌ個のプリコーディングマトリクスを決定することを含み、各プリコーディングマトリクスは、第２の次元におけるＵ個の要素シーケンスを含み、各プリコーディングマトリクス内に含まれる非ゼロ要素シーケンスの、Ｕ個のシーケンスにおける位置が、対応する変調シンボルシーケンス内に含まれる非ゼロ変調シンボルの、Ｕ個の変調シンボルにおける位置に対応し、
変調シンボルシーケンスマトリクスのＬ個のレイヤに対して重ね合わせ処理を実行することは、
第１の次元における対応する位置及び第２の次元における対応する位置を有するとともに変調シンボルシーケンスマトリクスのＬ個のレイヤ内にある要素に対して重ね合わせ処理を実行することを含む。
【０１４７】
具体的には、ケース１では、決定されたプリコーディングマトリクスのスケールは同一であり、すなわち、行の数と列の数の両方が同一である。したがって、プリコーディング処理の後に得られるＬ個の変調シンボルシーケンスマトリクスのスケールは同様に同一であり、すなわち、行の数と列の数の両方が同一である。この場合、Ｌ個の変調シンボルシーケンスマトリクスでは、同一の位置（同一の行位置及び同一の列位置）における要素が重ね合わせられ、送るべきシンボルシーケンスマトリクスが生成され得る。
【０１４８】
別の例では、任意選択で、変調シンボルシーケンスマトリクスのＬ個のレイヤに対して重ね合わせ処理を実行することの前に、方法は、
第６の変調シンボルシーケンス内のＶ個の非ゼロ変調シンボルの位置に従って、第６の変調シンボルシーケンスマトリクスに対してゼロフィル処理を実行し、その結果、ゼロフィル処理後に得られる第６の変調シンボルシーケンスマトリクスが、第２の次元におけるＵ個の要素シーケンスを含むことを更に含み、ゼロフィル処理後に得られる第１の変調シンボルシーケンスマトリクス内のＶ個の非ゼロ要素シーケンスの、第２の次元における位置が、第６の変調シンボルシーケンス内のＶ個の非ゼロ変調シンボルの位置に対応する。
【０１４９】
具体的には、ケース２では、決定されたプリコーディングマトリクスのスケールは異なり、すなわち、行の数又は列の数は異なる。したがって、プリコーディング処理後に得られるＬ個の変調シンボルシーケンスマトリクスのスケールは同様に異なり、すなわち、行の数と列の数の両方が異なる。
【０１５０】
一般性を失うことなく、変調シンボルシーケンスのＬ個のレイヤ内の１つの変調シンボルシーケンスが、変調シンボルシーケンス＃６として記録され、変調シンボルシーケンス＃６（すなわち、第６の変調シンボルシーケンスの一例）に対応するプリコーディングマトリクス＃６（すなわち、第６のプリコーディングマトリクスの一例）が一例として使用される。プリコーディングマトリクス＃６内に含まれる列の数は、変調シンボルシーケンス＃６内に含まれる非ゼロ要素の数と同一であり、すなわち、プリコーディングマトリクス＃６は要素のＶ個の列（すなわち、Ｖ個の要素シーケンス）を含み、式１に従って生成される変調シンボルシーケンスマトリクス＃６は、Ｔ個の行及びＶ個の列（すなわち、Ｖ個の非ゼロ要素シーケンス）を含む。この場合、Ｖ個の列は、変調シンボルシーケンス＃６内のＶ個の非ゼロ要素に対応し、プリコーディングマトリクス＃６内のＶ個の非ゼロ要素シーケンスの位置が、変調シンボルシーケンス＃６内のＶ個の非ゼロ要素の位置に対応することができ、他の位置がゼロシーケンスで埋められ、その結果、変調シンボルシーケンスマトリクス＃６が、Ｔ個の行及びＵ個の列を含むマトリクスに変換され得る。同様に、各変調シンボルシーケンスマトリクスが、Ｔ個の行及びＵ個の列を含むマトリクスに変換されることができ、その結果、同一の位置（すなわち、同一の行位置及び同一の列位置）上にあるとともにＬ個の変換後変調シンボルシーケンスマトリクス内にある要素が重ね合わされ、送るべきシンボルシーケンスマトリクスが生成されることができる。
【０１５１】
図４は、本発明のこの実施形態での方法２００をＳＣＭＡシステムに適用する概略フローチャートである。図４に示されるように、端末デバイス＃１から端末デバイス＃Ｌに対応する情報ビット（すなわち、情報ビット＃１から情報ビット＃Ｌ）に対して、Ｓ２１０で説明される方法に従って、マッピング処理が実行された後で、端末デバイス＃１から端末デバイス＃Ｌにそれぞれ対応する変調シンボルシーケンスＸ＃１からＸ＃Ｌが生成されることができ、変調シンボルシーケンスが、ＲＥ＃１からＲＥ＃４によって形成されるリソースブロックにスパースに（sparsely）マッピングされる。Ｓ２３０で説明されるプリコーディング処理（Ｓ２２０で生成されるＬ個のプリコーディングマトリクスに基づいて実装される）が実行された後で、各端末デバイスに対応する変調シンボルシーケンスマトリクスが生成され、変調シンボルシーケンスマトリクスは、空間領域リソース（すなわち、アンテナポート＃１からアンテナポート＃４））及び時間周波数リソース（すなわち、ＲＥ＃１からＲＥ＃４）によって形成される２次元リソースマトリクスに対応し得る。Ｓ２４０で説明される重ね合わせ処理が実行された後で、送るべきシンボルシーケンスマトリクスが生成される。
【０１５２】
端末デバイス＃１から端末デバイス＃Ｌでは、任意の２つの端末デバイスが、同一の端末デバイスであり得るか、又は異なる端末デバイスであり得るとともに、このことは本発明では特に限定されないことに留意されたい。例えば、端末デバイス＃１及び端末デバイス＃Ｌが同一の端末デバイスであるとき、情報ビット＃１及び情報ビット＃Ｌを同一の端末デバイスに送る必要があることを示し、端末デバイス＃１及び端末デバイス＃Ｌが異なる端末デバイスであるとき、情報ビット＃１及び情報ビット＃Ｌを異なる端末デバイスに送る必要があることを示す。
【０１５３】
さらに、前述の空間領域リソースの数及び時間周波数リソースの数は、説明のための一例に過ぎない。本発明はそれに限定されない。
【０１５４】
さらに、本発明のこの実施形態では、プリコーディングマトリクスが、対応する変調シンボルシーケンス（例えば、受信端デバイスの変調シンボルシーケンス及び含まれる非ゼロシンボルの数）に従って決定される。したがって、Ｌ個のプリコーディングマトリクス内の任意の２つのプリコーディングマトリクスは、同一であり得るか、又は異なり得る。このことは本発明では特に限定されない。
【０１５５】
本発明のこの実施形態でのデータ処理方法によれば、送信端デバイスは、変調シンボルの複数のレイヤにそれぞれ対応する複数のプリコーディングマトリクスを取得し、複数のプリコーディングマトリクスに基づいて、対応する変調シンボルに対してプリコーディング処理を実行して、各空間領域リソースについての変調シンボルの各レイヤの構成要素を取得し、空間ダイバーシティ利得を効果的に使用し、各空間領域リソースに対応する、生成された送信すべき信号の信号対雑音比を改善し、受信端が復号を実行するときのビット誤り率を低減するように、変調シンボルのプリコーディング後の複数のレイヤに対して重ね合わせ処理を実行することができ、その結果、通信信頼性が著しく改善され得る。
【０１５６】
上記では、図１から図４を参照しながら、本発明の実施形態によるデータ処理方法を詳細に説明し、下記では、図５を参照しながら、本発明の実施形態によるデータ処理装置を詳細に説明する。
【０１５７】
図５は、本発明の一実施形態によるデータ処理装置３００の概略ブロック図である。図５に示されるように、装置３００は、
情報ビットのＬ個のレイヤに対してマッピング処理を実行して、変調シンボルシーケンスのＬ個のレイヤを生成するように構成されたマッピング処理ユニット３１０であって、変調シンボルシーケンスの各レイヤがＵ個の変調シンボルを含み、変調シンボルシーケンスのＬ個のレイヤが同一の時間周波数リソースに対応し、Ｕ個の変調シンボルが少なくとも１つの非ゼロ変調シンボル及び少なくとも１つのゼロ変調シンボルを含み、Ｌ≧２及びＵ≧２であるマッピング処理ユニット３１０と、
変調シンボルシーケンスの各レイヤに対応するとともにＬ個のプリコーディングマトリクスの中にあるプリコーディングマトリクスに従って、変調シンボルシーケンスの各レイヤに対してプリコーディング処理を実行して、変調シンボルシーケンスマトリクスのＬ個のレイヤを生成するように構成されたプリコーディング処理ユニット３２０であって、Ｌ個のプリコーディングマトリクスが変調シンボルシーケンスのＬ個のレイヤと１対１対応にあり、プリコーディングマトリクスが第１の次元におけるＴ個の要素シーケンスを含み、Ｔが情報ビットのＬ個のレイヤを送信するために使用される空間領域リソースの数であり、Ｔ≧２であるプリコーディング処理ユニット３２０と、
変調シンボルシーケンスマトリクスのＬ個のレイヤに対して重ね合わせ処理を実行して、送るべきシンボルシーケンスマトリクスを生成するように構成された重ね合わせ処理ユニット３３０であって、送るべきシンボルシーケンスマトリクスが第１の次元におけるＴ個の要素シーケンスを含み、送るべきシンボルシーケンスマトリクスが第２の次元におけるＵ個の要素シーケンスを含む重ね合わせ処理ユニット３３０とを含む。
【０１５８】
任意選択で、変調シンボルシーケンスのＬ個のレイヤ内の第１の変調シンボルシーケンスが少なくとも２つの非ゼロ変調シンボルを含むとき、第１の変調シンボルに対応する第１のプリコーディングマトリクスにおいて、第１のプリコーディングマトリクスは、第２の次元における少なくとも２つの第１の要素シーケンスを含み、少なくとも２つの第１の要素シーケンスは、第１の変調シンボルシーケンス内に含まれる少なくとも２つの非ゼロ変調シンボルと１対１対応にあり、少なくとも２つの第１の要素シーケンスは異なる。
【０１５９】
任意選択で、プリコーディングマトリクスが、変調シンボルシーケンスの各レイヤに対応する受信端デバイスに従って決定される。
【０１６０】
任意選択で、変調シンボルシーケンスのＬ個のレイヤ内の第２の変調シンボルシーケンスに対応する受信端デバイスが、変調シンボルシーケンスのＬ個のレイヤ内の第３の変調シンボルシーケンスに対応する受信端デバイスと同一であるとき、
第２の変調シンボルシーケンスに対応する第２のプリコーディングマトリクスにおいて、第２のプリコーディングマトリクスは、第２の次元における第２の要素シーケンスを含み、第２の要素シーケンスは第２の非ゼロ変調シンボルに対応し、第２の非ゼロ変調シンボルは、第２の変調シンボルシーケンス内に含まれる非ゼロ変調シンボルであり、
第３の変調シンボルシーケンスに対応する第３のプリコーディングマトリクスにおいて、第３のプリコーディングマトリクスは、第２の次元における第３の要素シーケンスを含み、第３の要素シーケンスは第３の非ゼロ変調シンボルに対応し、第３の非ゼロ変調シンボルは、第３の変調シンボルシーケンス内に含まれる非ゼロ変調シンボルであり、
第２の変調シンボルシーケンス内の第２の非ゼロ変調シンボルの位置が、第３の変調シンボルシーケンス内の第３の非ゼロ変調シンボルの位置に対応し、第２の要素シーケンスは第３の要素シーケンスと同一である。
【０１６１】
任意選択で、変調シンボルシーケンスのＬ個のレイヤ内の第４の変調シンボルシーケンスに対応する受信端デバイスが、変調シンボルシーケンスのＬ個のレイヤ内の第５の変調シンボルシーケンスに対応する受信端デバイスと異なるとき、
第４の変調シンボルシーケンスに対応する第４のプリコーディングマトリクスにおいて、第４のプリコーディングマトリクスは、第２の次元における第４の要素シーケンスを含み、第４の要素シーケンスは第４の非ゼロ変調シンボルに対応し、第４の非ゼロ変調シンボルは、第４の変調シンボルシーケンス内に含まれる非ゼロ変調シンボルであり、
第５の変調シンボルシーケンスに対応する第５のプリコーディングマトリクスにおいて、第５のプリコーディングマトリクスは、第２の次元における第５の要素シーケンスを含み、第５の要素シーケンスは第５の非ゼロ変調シンボルに対応し、第５の非ゼロ変調シンボルは、第５の変調シンボルシーケンス内に含まれる非ゼロ変調シンボルであり、
第４の変調シンボルシーケンス内の第４の非ゼロ変調シンボルの位置が、第５の変調シンボルシーケンス内の第５の非ゼロ変調シンボルの位置に対応し、第４の要素シーケンスは第５の要素シーケンスと異なる。
【０１６２】
任意選択で、各プリコーディングマトリクスは、第２の次元におけるＵ個の要素シーケンスを含み、各プリコーディングマトリクス内に含まれる非ゼロ要素シーケンスの、Ｕ個のシーケンスにおける位置が、対応する変調シンボルシーケンス内に含まれる非ゼロ変調シンボルの、Ｕ個の変調シンボルにおける位置に対応し、
重ね合わせ処理ユニットが、具体的には、第１の次元における対応する位置及び第２の次元における対応する位置を有するとともに変調シンボルシーケンスマトリクスのＬ個のレイヤ内にある要素に対して重ね合わせ処理を実行するように構成される。
【０１６３】
任意選択で、変調シンボルシーケンスのＬ個のレイヤ内の第６の変調シンボルシーケンスが、Ｖ個の非ゼロ変調シンボルを含み、Ｖ≧１であり、第６の変調シンボルシーケンスに対応する第６のプリコーディングマトリクスにおいて、第６のプリコーディングマトリクスは、第２の次元におけるＶ個の要素シーケンスを含み、
プリコーディング処理ユニットが、具体的には、第１のプリコーディングマトリクスに従って、第１の変調シンボルシーケンスに対してプリコーディング処理を実行して、第１の変調シンボルシーケンスマトリクスを生成し、第１の変調シンボルシーケンスマトリクスが、第１の次元におけるＴ個の要素シーケンスを含み、第１の変調シンボルシーケンスマトリクスが、第２の次元におけるＶ個の要素シーケンスを含む、ように構成される。
【０１６４】
任意選択で、変調シンボルシーケンスマトリクスのＬ個のレイヤに対して重ね合わせ処理を実行する前に、重ね合わせ処理ユニットが、具体的には、第６の変調シンボルシーケンス内のＶ個の非ゼロ変調シンボルの位置に従って、第６の変調シンボルシーケンスマトリクスに対してゼロフィル処理を実行し、その結果、ゼロフィル処理後に得られる第６の変調シンボルシーケンスマトリクスが、第２の次元におけるＵ個の要素シーケンスを含み、ゼロフィル処理後に得られる第１の変調シンボルシーケンスマトリクス内のＶ個の非ゼロ要素シーケンスの、第２の次元における位置が、第６の変調シンボルシーケンス内のＶ個の非ゼロ変調シンボルの位置に対応する、ように更に構成される。
【０１６５】
任意選択で、Ｔは、具体的には、情報ビットのＬ個のレイヤを送信するために使用されるアンテナポートの数である。
【０１６６】
任意選択で、装置はネットワークデバイスであるか、又は
装置は端末デバイスである。
【０１６７】
任意選択で、マッピング処理ユニットが、具体的には、符号語を使用することによってマッピング処理を実行し、符号語が、情報ビットと少なくとも２つの変調シンボルとの間のマッピング関係を示すために使用される多次元複素ベクトルであり、少なくとも２つの変調シンボルが、少なくとも１つのゼロ変調シンボル及び少なくとも１つの非ゼロ変調シンボルを含む、ように構成される。
【０１６８】
本発明のこの実施形態によるデータ処理装置３００は、本発明の実施形態での方法における送信端デバイス（例えば、ネットワークデバイス）に対応することができ、データ処理装置３００内のユニット又はモジュール、そして上記の他の動作及び／又は機能が、図２における方法２００の対応する手順を実装するために別々に使用される。簡潔のために、詳細は本明細書では再び説明されない。
【０１６９】
本発明のこの実施形態でのデータ処理装置によれば、送信端デバイスが、変調シンボルの複数のレイヤにそれぞれ対応する複数のプリコーディングマトリクスを取得し、複数のプリコーディングマトリクスに基づいて、対応する変調シンボルに対してプリコーディング処理を実行して、各空間領域リソースについての変調シンボルの各レイヤの構成要素を取得し、空間ダイバーシティ利得を効果的に使用し、各空間領域リソースに対応する、生成された送信すべき信号の信号対雑音比を改善し、受信端が復号を実行するときのビット誤り率を低減するように、変調シンボルのプリコーディング後の複数のレイヤに対して重ね合わせ処理を実行することができ、その結果、通信信頼性が著しく改善され得る。
【０１７０】
上記では、図１から図４を参照しながら、本発明の実施形態によるデータ処理方法を詳細に説明し、下記では、図６を参照しながら、本発明の実施形態によるデータ処理デバイスを詳細に説明する。
【０１７１】
図６は、本発明の一実施形態によるデータ処理デバイス４００の概略ブロック図である。図６に示されるように、デバイス４００は、
バス４１０と、
バスに接続されたプロセッサ４２０と、
バスに接続されたメモリ４３０とを含み、
プロセッサは、バスを使用することによって、メモリ内に記憶されたプログラムを起動して、変調シンボルシーケンスのＬ個のレイヤを生成するように、情報ビットのＬ個のレイヤに対してマッピング処理を実行し、ここで、変調シンボルシーケンスの各レイヤがＵ個の変調シンボルを含み、変調シンボルシーケンスのＬ個のレイヤが同一の時間周波数リソースに対応し、Ｕ個の変調シンボルが少なくとも１つの非ゼロ変調シンボル及び少なくとも１つのゼロ変調シンボルを含み、Ｌ≧２及びＵ≧２であり、
変調シンボルシーケンスの各レイヤに対応するとともにＬ個のプリコーディングマトリクスの中にあるプリコーディングマトリクスに従って、変調シンボルシーケンスの各レイヤに対してプリコーディング処理を実行して、変調シンボルシーケンスマトリクスのＬ個のレイヤを生成し、ここで、Ｌ個のプリコーディングマトリクスが変調シンボルシーケンスのＬ個のレイヤと１対１対応にあり、プリコーディングマトリクスが第１の次元におけるＴ個の要素シーケンスを含み、Ｔが情報ビットのＬ個のレイヤを送信するために使用される空間領域リソースの数であり、Ｔ≧２であり、そして
変調シンボルシーケンスマトリクスのＬ個のレイヤに対して重ね合わせ処理を実行して、送るべきシンボルシーケンスマトリクスを生成し、ここで、送るべきシンボルシーケンスマトリクスが第１の次元におけるＴ個の要素シーケンスを含み、送るべきシンボルシーケンスマトリクスが第２の次元におけるＵ個の要素シーケンスを含む。
【０１７２】
任意選択で、変調シンボルシーケンスのＬ個のレイヤ内の第１の変調シンボルシーケンスが少なくとも２つの非ゼロ変調シンボルを含むとき、第１の変調シンボルに対応する第１のプリコーディングマトリクスにおいて、第１のプリコーディングマトリクスは、第２の次元における少なくとも２つの第１の要素シーケンスを含み、少なくとも２つの第１の要素シーケンスは、第１の変調シンボルシーケンス内に含まれる少なくとも２つの非ゼロ変調シンボルと１対１対応にあり、少なくとも２つの第１の要素シーケンスは異なる。
【０１７３】
任意選択で、プリコーディングマトリクスが、変調シンボルシーケンスの各レイヤに対応する受信端デバイスに従って決定される。
【０１７４】
任意選択で、変調シンボルシーケンスのＬ個のレイヤ内の第２の変調シンボルシーケンスに対応する受信端デバイスが、変調シンボルシーケンスのＬ個のレイヤ内の第３の変調シンボルシーケンスに対応する受信端デバイスと同一であるとき、
第２の変調シンボルシーケンスに対応する第２のプリコーディングマトリクスにおいて、第２のプリコーディングマトリクスは、第２の次元における第２の要素シーケンスを含み、第２の要素シーケンスは第２の非ゼロ変調シンボルに対応し、第２の非ゼロ変調シンボルは、第２の変調シンボルシーケンス内に含まれる非ゼロ変調シンボルであり、
第３の変調シンボルシーケンスに対応する第３のプリコーディングマトリクスにおいて、第３のプリコーディングマトリクスは、第２の次元における第３の要素シーケンスを含み、第３の要素シーケンスは第３の非ゼロ変調シンボルに対応し、第３の非ゼロ変調シンボルは、第３の変調シンボルシーケンス内に含まれる非ゼロ変調シンボルであり、
第２の変調シンボルシーケンス内の第２の非ゼロ変調シンボルの位置が、第３の変調シンボルシーケンス内の第３の非ゼロ変調シンボルの位置に対応し、第２の要素シーケンスは第３の要素シーケンスと同一である。
【０１７５】
任意選択で、変調シンボルシーケンスのＬ個のレイヤ内の第４の変調シンボルシーケンスに対応する受信端デバイスが、変調シンボルシーケンスのＬ個のレイヤ内の第５の変調シンボルシーケンスに対応する受信端デバイスと異なるとき、
第４の変調シンボルシーケンスに対応する第４のプリコーディングマトリクスにおいて、第４のプリコーディングマトリクスは、第２の次元における第４の要素シーケンスを含み、第４の要素シーケンスは第４の非ゼロ変調シンボルに対応し、第４の非ゼロ変調シンボルは、第４の変調シンボルシーケンス内に含まれる非ゼロ変調シンボルであり、
第５の変調シンボルシーケンスに対応する第５のプリコーディングマトリクスにおいて、第５のプリコーディングマトリクスは、第２の次元における第５の要素シーケンスを含み、第５の要素シーケンスは第５の非ゼロ変調シンボルに対応し、第５の非ゼロ変調シンボルは、第５の変調シンボルシーケンス内に含まれる非ゼロ変調シンボルであり、
第４の変調シンボルシーケンス内の第４の非ゼロ変調シンボルの位置が、第５の変調シンボルシーケンス内の第５の非ゼロ変調シンボルの位置に対応し、第４の要素シーケンスは第５の要素シーケンスと異なる。
【０１７６】
任意選択で、各プリコーディングマトリクスは、第２の次元におけるＵ個の要素シーケンスを含み、各プリコーディングマトリクス内に含まれる非ゼロ要素シーケンスの、Ｕ個のシーケンスにおける位置が、対応する変調シンボルシーケンス内に含まれる非ゼロ変調シンボルの、Ｕ個の変調シンボルにおける位置に対応し、
プロセッサが、具体的には、第１の次元における対応する位置及び第２の次元における対応する位置を有するとともに変調シンボルシーケンスマトリクスのＬ個のレイヤ内にある要素に対して重ね合わせ処理を実行するように構成される。
【０１７７】
任意選択で、変調シンボルシーケンスのＬ個のレイヤ内の第６の変調シンボルシーケンスが、Ｖ個の非ゼロ変調シンボルを含み、Ｖ≧１であり、第６の変調シンボルシーケンスに対応する第６のプリコーディングマトリクスにおいて、第６のプリコーディングマトリクスは、第２の次元におけるＶ個の要素シーケンスを含み、
プロセッサが、具体的には、第１のプリコーディングマトリクスに従って、第１の変調シンボルシーケンスに対してプリコーディング処理を実行して、第１の変調シンボルシーケンスマトリクスを生成し、第１の変調シンボルシーケンスマトリクスが、第１の次元におけるＴ個の要素シーケンスを含み、第１の変調シンボルシーケンスマトリクスが、第２の次元におけるＶ個の要素シーケンスを含む、ように構成される。
【０１７８】
任意選択で、変調シンボルシーケンスマトリクスのＬ個のレイヤに対して重ね合わせ処理を実行する前に、プロセッサが、具体的には、第６の変調シンボルシーケンス内のＶ個の非ゼロ変調シンボルの位置に従って、第６の変調シンボルシーケンスマトリクスに対してゼロフィル処理を実行し、その結果、ゼロフィル処理後に得られる第６の変調シンボルシーケンスマトリクスが、第２の次元におけるＵ個の要素シーケンスを含み、ゼロフィル処理後に得られる第１の変調シンボルシーケンスマトリクス内のＶ個の非ゼロ要素シーケンスの、第２の次元における位置が、第６の変調シンボルシーケンス内のＶ個の非ゼロ変調シンボルの位置に対応する、ように更に構成される。
【０１７９】
任意選択で、Ｔは、具体的には、情報ビットのＬ個のレイヤを送信するために使用されるアンテナポートの数である。
【０１８０】
任意選択で、デバイスはネットワークデバイスであるか、又は
デバイスは端末デバイスである。
【０１８１】
任意選択で、プロセッサは、具体的には、符号語を使用することによってマッピング処理を実行し、符号語が、情報ビットと少なくとも２つの変調シンボルとの間のマッピング関係を示すために使用される多次元複素ベクトルであり、少なくとも２つの変調シンボルが、少なくとも１つのゼロ変調シンボル及び少なくとも１つの非ゼロ変調シンボルを含む、ように構成される。
【０１８２】
本発明のこの実施形態は、様々な通信デバイス、例えばネットワーク側デバイス又は端末デバイスに適用され得る。
【０１８３】
デバイス４００の受信機は、受信回路、電力制御装置、デコーダ、及びアンテナを含むことができ、デバイス４００は、送信機を更に含むことができ、送信機は、送信回路、電力制御装置、エンコーダ、及びアンテナを含むことができる。
【０１８４】
プロセッサはＣＰＵと更に呼ばれることがある。メモリは、読み出し専用メモリ及びランダムアクセスメモリを含むことができ、命令及びデータをプロセッサに提供し得る。メモリの一部は、不揮発性ランダムアクセスメモリ（ＮＶＲＡＭ）を更に含み得る。特定の応用例では、デバイス４００は、携帯電話などの無線通信デバイス、若しくはネットワーク側デバイスなどのネットワークデバイス内に組み込まれることができ、又は無線通信デバイス若しくはネットワークデバイスであり得るか、又はデバイス４００とリモート位置との間のデータ送信及び受信を可能にするように、送信回路及び受信回路を含むキャリアを含み得る。送信回路及び受信回路はアンテナに結合され得る。デバイス４００の構成要素は、バスを使用することによって互いに結合され、バスは、データバスに加えて、電力バス、制御バス、及びステータス信号バスを含み得る。しかしながら、明快な説明のために、図では様々なバスがバス４１０として示される。具体的には、様々な製品内のデコーダが処理装置と統合され得る。
【０１８５】
プロセッサは、本発明の方法実施形態で開示されるステップ及び論理ブロック図を実装又は実行し得る。汎用プロセッサは、マイクロプロセッサであり得るか、又はプロセッサは、任意の従来型プロセッサ、デコーダなどであり得る。本発明の実施形態で開示される方法を参照して、ステップがハードウェアプロセッサによって直接的に実装されることができるか、又は復号プロセッサ内のハードウェアモジュールとソフトウェアモジュールの組み合わせによって実装されることができる。ソフトウェアモジュールは、ランダムアクセスメモリ、フラッシュメモリ、読み出し専用メモリ、プログラマブル読み出し専用メモリ、電気的消去可能プログラマブルメモリ、レジスタなどの、当技術分野で成熟した記憶媒体内に配置され得る。
【０１８６】
本発明のこの実施形態では、プロセッサ４２０は、中央演算処理装置（Ｃｅｎｔｒａｌ  Ｐｒｏｃｅｓｓｉｎｇ  Ｕｎｉｔ，略して「ＣＰＵ」）であり得るか、又はプロセッサ４２０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは別のプログラマブル論理デバイス、ディスクリートゲート若しくはトランジスタ論理デバイス、ディスクリートハードウェア構成要素、又は同様のものであり得ることを理解されたい。汎用プロセッサは、マイクロプロセッサであり得るか、又はプロセッサは、任意の従来型プロセッサ若しくは同様のものであり得る。
【０１８７】
メモリ４３０は、読み出し専用メモリ及びランダムアクセスメモリを含むことができ、命令及びデータをプロセッサ４２０に提供し得る。メモリ４３０の一部は、不揮発性ランダムアクセスメモリを更に含み得る。例えば、メモリ４３０はデバイスタイプ情報を更に記憶し得る。
【０１８８】
バスシステム４１０は、データバスに加えて、電力バス、制御バス、ステータス信号バスなどを含み得る。しかしながら、明快な説明のために、図では様々なバスがバスシステム４１０として示される。
【０１８９】
実装プロセスでは、上記の方法のステップは、プロセッサ４２０内のハードウェアの集積論理回路又はソフトウェアの形態の命令を使用することによって完了され得る。本発明の実施形態を参照しながら開示される方法のステップは、ハードウェアプロセッサによって直接的に実行及び完了されることができるか、又はプロセッサ内のハードウェアモジュールとソフトウェアモジュールの組み合わせを使用することによって実行及び完了されることができる。ソフトウェアモジュールは、ランダムアクセスメモリ、フラッシュメモリ、読み出し専用メモリ、プログラマブル読み出し専用メモリ、電気的消去可能プログラマブルメモリ、レジスタなどの、当技術分野で成熟した記憶媒体内に配置され得る。記憶媒体はメモリ４３０内に配置され、プロセッサ４２０はメモリ４３０内の情報を読み取り、プロセッサ４２０のハードウェアと組み合わせて上記の方法のステップを完了する。反復を避けるため、本明細書では詳細は再び説明されない。
【０１９０】
本発明のこの実施形態によるデータ処理デバイス４００は、本発明の実施形態での方法における送信端デバイス（例えば、ネットワークデバイス）に対応することができ、データ処理デバイス４００内のユニットすなわちモジュール並びに上記の他の動作及び／又は機能が、図２における方法２００の対応する手順を実装するために別々に使用される。簡潔のために、本明細書では詳細は再び説明されない。
【０１９１】
本発明のこの実施形態でのデータ処理デバイスによれば、送信端デバイスが、変調シンボルの複数のレイヤにそれぞれ対応する複数のプリコーディングマトリクスを取得し、複数のプリコーディングマトリクスに基づいて、対応する変調シンボルに対してプリコーディング処理を実行して、各空間領域リソースについての変調シンボルの各レイヤの構成要素を取得し、空間ダイバーシティ利得を効果的に使用し、各空間領域リソースに対応する、生成された送信すべき信号の信号対雑音比を改善し、受信端が復号を実行するときのビット誤り率を低減するように、変調シンボルのプリコーディング後の複数のレイヤに対して重ね合わせ処理を実行することができ、その結果、通信信頼性が著しく改善され得る。
【０１９２】
上記のプロセスのシーケンス番号は本発明の様々な実施形態での実行シーケンスを意味しないことを理解されたい。プロセスの実行シーケンスは、プロセスの機能及び内部論理に従って決定されるべきであり、本発明の実施形態での実装プロセスに対する何らかの制限と解釈されるべきではない。
【０１９３】
本明細書で開示される実施形態を参照しながら説明される例でのユニット及びアルゴリズムステップが、電子ハードウェア、又はコンピュータソフトウェアと電子ハードウェアの組み合わせによって実装され得ることを当業者は承知し得る。機能がハードウェアによって実行されるか、それともソフトウェアによって実行されるかは、特定の応用例及び技術的解決策の設計制約条件に依存する。当業者は、様々な方法を使用して、特定の応用例ごとに記載の機能を実装し得るが、実装は本発明の範囲を越えると考えられるべきではない。
【０１９４】
便宜上、及び簡潔な説明のために、上記のシステム、装置、及びユニットの詳細な作業プロセスについては、上記の方法実施形態における対応するプロセスを参照することができ、詳細は説明されないことを、当業者は明確に理解されたい。
【０１９５】
本願で与えられるいくつかの実施形態では、開示されるシステム、装置、及び方法は別の方式で実装され得ることを理解されたい。例えば、記載の装置実施形態は一例に過ぎない。例えば、ユニット分割は論理的機能分割に過ぎず、実際の実装では別の分割であり得る。例えば、複数のユニット若しくは構成要素が、別のシステムに組み合わされるか、若しくは統合されることができ、又は、いくつかの機能が、無視されるか、若しくは実行されないことがある。さらに、表示され、若しくは論じられる相互結合又は直接的結合又は通信接続は、装置又はユニット間のいくつかのインタフェース、間接的結合、若しくは通信接続、又は、電気的接続、機械的接続、若しくは別の形態の接続を通じて実装され得る。
【０１９６】
別個の部品として説明されるユニットは、物理的に分離しているかもしれないし、又は物理的に分離していないかもしれないとともに、ユニットとして表示される部品は、物理的なユニットであるかもしれないし、又は物理的なユニットではないかもしれず、１つの位置に位置付けられるかもしれないし、又は複数のネットワークユニットに対して分散されるかもしれない。一部又はすべてのユニットは、実施例の解決策の目的を達成するために、実際のニーズに従って選択され得る。
【０１９７】
さらに、本発明の実施形態での機能ユニットは、１つの処理装置に統合されることができるか、又はユニットの各々が物理的に単独で存在することができるか、又は２つ以上のユニットが１つのユニットに統合される。
【０１９８】
機能がソフトウェア機能ユニットの形態で実装され、独立した製品として販売又は使用されるとき、機能は、コンピュータ読み取り可能な記憶媒体内に記憶され得る。そのような理解に基づいて、本発明の技術的解決策は本質的に、又は従来技術に寄与する部分、又は技術的解決策のいくつかは、ソフトウェア製品の形態で実装され得る。ソフトウェア製品は記憶媒体内に記憶され、コンピュータデバイス（パーソナルコンピュータ、サーバ、又はネットワークデバイスであり得る）が本発明の実施形態で説明される方法のステップのすべて又はいくつかを実行することを指示するいくつかの命令を含む。上記の記憶媒体は、ＵＳＢフラッシュドライブ、取外し可能ハードディスク、読み出し専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、光ディスクなどの、プログラムコードを記憶し得る任意の媒体を含む。
【０１９９】
上記の説明は、本発明の特定の実装方式に過ぎず、本発明の保護範囲を限定するものではない。本発明で開示される技術的範囲内で当業者によって容易に理解される任意の変形又は置換は、本発明の保護範囲内に包含されるものとする。したがって、本発明の保護範囲は、請求項の保護範囲の対象であるものとする。
【図１】
0006386672.tif 000015
【図２】
0006386672.tif 000016
【図３】
0006386672.tif 000017
【図４】
0006386672.tif 000018
【図５】
0006386672.tif 000019
【図６】
0006386672.tif 000020